(57)【特許請求の範囲】
【請求項１】
表示面を有する表示パネルと、
前記表示パネルの表示面に、操作者によるタッチ操作を受け付けるためのボタン画像を表示する表示制御手段と、
前記表示パネルの表示面上における任意のタッチ位置をＸ−Ｙ直交座標系の２成分として検出可能なタッチ位置検出機構と、
前記表示面に前記ボタン画像が表示される場合に、当該表示面上において当該ボタン画像が表示される第１領域とこれ以外の第２領域とを判定する領域判定手段と、
前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、
前記表示面に前記ボタン画像が複数、表示される場合に、Ｘ方向またはＹ方向に沿って各ボタン画像が１列に配置されるか否かを判断する配置判断手段と、
を備え、
前記検出指示手段は、
前記配置判断手段によって、前記各ボタン画像がＸ方向に沿って１列に配置されていることが判断される場合に、前記タッチ位置検出機構に対して、直交座標系のＹ成分領域については前記領域判定の結果に関わらず全ての検出をオフ状態にすることを指示し、
前記各ボタン画像がＹ方向に沿って１列に配置されていることが判断される場合に、前記タッチ位置検出機構に対して、直交座標系のＸ成分領域については前記領域判定の結果に関わらず全ての検出をオフ状態にすることを指示することを特徴とするタッチパネル入力装置。
【請求項２】
前記配置判断手段によって、前記各ボタン画像がＸ方向またはＹ方向に沿って１列に配置されていることが判断された場合に、前記各ボタン画像についてそのタッチ操作の頻度が閾値よりも低い低頻度のボタン画像と当該閾値よりも高い高頻度のボタン画像のいずれかに分類する頻度分類手段をさらに有し、
前記タッチ位置検出機構は、
前記表示面上におけるＸ成分領域とＹ成分領域のそれぞれについて任意のタッチ位置を検出するための複数の検出部を備え、
前記検出指示手段は、
前記頻度分類手段により高頻度に分類されたボタン画像が表示される第１領域のタッチ位置を検出するための検出部に、タッチ位置の検出動作が可能になる予め決められた許容範囲内における所定の標準電力が供給され、
低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うことを特徴とする請求項１に記載のタッチパネル入力装置。
【請求項３】
前記配置判断手段によって、前記各ボタン画像がＸ方向またはＹ方向に沿って１列に配置されていることが判断された場合に、前記各ボタン画像についてそのタッチ操作の頻度が閾値よりも低い低頻度のボタン画像と当該閾値よりも高い高頻度のボタン画像のいずれかに分類する頻度分類手段をさらに有し、
前記タッチ位置検出機構は、
前記表示面上におけるＸ成分領域とＹ成分領域のそれぞれについて任意のタッチ位置を検出するための複数の検出部を備え、
前記検出指示手段は、
タッチ位置の検出を実行すべき２以上の検出部に対して一つずつ順番にタッチ位置検出のための電力供給が行われ、かつ、
前記頻度分類手段による分類の結果、低頻度に分類されたボタン画像が表示される第１領域のタッチ位置を検出するための検出部に電力を供給する時間の長さが、高頻度に分類されたボタン画像が表示される第１領域のタッチ位置を検出するための検出部に電力を供給する時間の長さよりも短くなるように、前記タッチ位置検出機構に対して指示を行うことを特徴とすること特徴とする請求項１に記載のタッチパネル入力装置。
【請求項４】
前記表示制御手段は、
前記頻度分類手段による分類の結果、低頻度および高頻度のそれぞれに分類されたボタン画像のいずれか一方または両方が複数の場合に、低頻度に分類されたボタン画像の全てと、高頻度に分類されたボタン画像の全てとが、前記配列方向に沿って分離された状態になるように、前記各ボタン画像の表示位置を並び替えることを特徴とする請求項２または３に記載のタッチパネル入力装置。
【請求項５】
表示面を有する表示パネルと、
前記表示パネルの表示面に、操作者によるタッチ操作を受け付けるためのボタン画像を表示する表示制御手段と、
前記表示パネルの表示面上における任意のタッチ位置をＸ−Ｙ直交座標系の２成分として検出可能なタッチ位置検出機構と、
前記表示面に前記ボタン画像が表示される場合に、当該表示面上において当該ボタン画像が表示される第１領域とこれ以外の第２領域とを判定する領域判定手段と、
前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、
前記ボタン画像が複数、存在し、当該各ボタン画像の予め決められている表示態様をこれとは異なる所定の表示態様に変更する表示位置変更を行うと仮定した場合に、タッチ位置の検出をオフ状態にできるＸ成分領域およびＹ成分領域の面積が増加するかを判定する領域増加判定手段と、
を備え、
前記表示制御手段は、
前記領域増加判定手段による判定の結果、前記面積が増加する場合に、前記表示位置を変更することを特徴とするタッチパネル入力装置。
【請求項６】
前記予め決められている表示態様は、
前記各ボタン画像がＸ方向またはＹ方向に沿った複数の列で表示されることであり、
前記所定の表示態様は、
前記各ボタン画像がＸ方向またはＹ方向に沿った１列で表示されることであることを特徴とする請求項５に記載のタッチパネル入力装置。
【請求項７】
前記予め決められている表示態様は、
前記各ボタン画像が分散状態で表示されることであり、
前記所定の表示態様は、
前記各ボタン画像が１個所に集中して表示されることであることを特徴とする請求項５に記載のタッチパネル入力装置。
【請求項８】
前記表示制御手段は、
前記表示位置を変更する前に、前記予め決められている表示態様で表示し、
前記予め決められている表示態様が前記表示面に表示されているときに、ユーザーの最初のタッチ操作によるタッチ位置が前記タッチ位置検出機構により検出されると、当該検出されたタッチ位置に基づき前記１個所を決めて、決めた１個所に集中表示されるように前記表示位置を変更することを特徴とする請求項７に記載のタッチパネル入力装置。
【請求項９】
表示面を有する表示パネルと、
前記表示パネルの表示面に、操作者によるタッチ操作を受け付けるためのボタン画像を表示する表示制御手段と、
前記表示パネルの表示面上における任意のタッチ位置をＸ−Ｙ直交座標系の２成分として検出可能なタッチ位置検出機構と、
前記表示面に前記ボタン画像が表示される場合に、当該表示面上において当該ボタン画像が表示される第１領域とこれ以外の第２領域とを判定する領域判定手段と、
前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、
前記表示面に前記ボタン画像が複数、表示される場合に、各ボタン画像についてそのタッチ操作の頻度が閾値よりも低い低頻度のボタン画像と当該閾値よりも高い高頻度のボタン画像のいずれかに分類する頻度分類手段と、
を備え、
前記タッチ位置検出機構は、
前記表示面上におけるＸ成分領域とＹ成分領域のそれぞれについて任意のタッチ位置を検出するための複数の検出部を備え、
前記検出指示手段は、
前記頻度分類手段により高頻度に分類されたボタン画像が表示される第１領域のタッチ位置を検出するための検出部に、タッチ位置の検出動作が可能になる予め決められた許容範囲内における所定の標準電力が供給され、
低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うことを特徴とするタッチパネル入力装置。
【請求項１０】
前記領域判定手段は、
前記表示面に表示されるボタン画像の輪郭を指標するＸ座標およびＹ座標を取得する輪郭座標取得部を備え、
前記取得されたＸ座標およびＹ座標を利用して、前記第１領域と第２領域の判定を行うことを特徴とする請求項１〜９のいずれか一項に記載のタッチパネル入力装置。
【請求項１１】
前記タッチ位置検出機構は、
前記表示パネルにおける表示面の周囲に、Ｙ軸方向に対向する２辺の一方に複数の発光素子からなる第１発光素子列とその他方に複数の受光素子からなる第１受光素子列とが対向配置され、かつ、Ｘ軸方向に対向する２辺の一方に複数の発光素子からなる第２発光素子列とその他方に複数の受光素子からなる第２受光素子列とが対向配置されてなる検出光学系と、
前記それぞれの発光素子を制御する発光制御部と、
を備え、
前記検出指示手段は、
前記タッチ位置の検出をオフ状態にすべきＸ成分領域とＹ成分領域の検出に用いられる発光素子に電力を供給せず、前記第１領域に相当する直交座標系のＸ成分領域とＹ成分領域のタッチ位置の検出に用いられる発光素子にタッチ位置の検出のための電力を供給する指示を前記発光制御部に対して行うことを特徴とする請求項１〜１０のいずれか一項に記載のタッチパネル入力装置。
【請求項１２】
前記それぞれの発光素子は、
個別にスイッチを介して発光側の電力供給線に接続されており、
前記検出指示手段は、
前記タッチ位置の検出をオフ状態にすべきＸ成分領域とＹ成分領域の検出に用いられる発光素子に接続されたスイッチがオフ状態になり、前記第１領域に相当する直交座標系のＸ成分領域とＹ成分領域のタッチ位置の検出に用いられる発光素子に接続されるスイッチがオン状態になるように、各スイッチのオンとオフの切り替え制御の指示を前記発光制御部に対して行うことを特徴とする請求項１１に記載のタッチパネル入力装置。
【請求項１３】
表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、
前記表示パネルの表示面に、操作者によるタッチ操作を受け付けるためのボタン画像を表示する表示制御ステップと、
前記表示面に前記ボタン画像が表示される場合に、当該表示面上において当該ボタン画像が表示される第１領域とこれ以外の第２領域とを判定する領域判定ステップと、
前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、
前記表示面に前記ボタン画像が複数、表示される場合に、Ｘ方向またはＹ方向に沿って各ボタン画像が１列に配置されるか否かを判断する配置判断ステップと、
を実行させるためのプログラムであり、
前記検出指示ステップは、
前記配置判断ステップによって、前記各ボタン画像がＸ方向に沿って１列に配置されていることが判断される場合に、前記タッチ位置検出機構に対して、直交座標系のＹ成分領域については前記領域判定の結果に関わらず全ての検出をオフ状態にすることを指示し、
前記各ボタン画像がＹ方向に沿って１列に配置されていることが判断される場合に、前記タッチ位置検出機構に対して、直交座標系のＸ成分領域については前記領域判定の結果に関わらず全ての検出をオフ状態にすることを指示することを特徴とするプログラム。
【請求項１４】
表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、
前記表示パネルの表示面に、操作者によるタッチ操作を受け付けるためのボタン画像を表示する表示制御ステップと、
前記表示面に前記ボタン画像が表示される場合に、当該表示面上において当該ボタン画像が表示される第１領域とこれ以外の第２領域とを判定する領域判定ステップと、
前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、
前記ボタン画像が複数、存在し、当該各ボタン画像の予め決められている表示態様をこれとは異なる所定の表示態様に変更する表示位置変更を行うと仮定した場合に、タッチ位置の検出をオフ状態にできるＸ成分領域およびＹ成分領域の面積が増加するかを判定する領域増加判定ステップと、
を実行させるためのプログラムであり、
前記表示制御ステップは、
前記領域増加判定ステップによる判定の結果、前記面積が増加する場合に、前記表示位置を変更することを特徴とするプログラム。
【請求項１５】
表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、
前記表示パネルの表示面に、操作者によるタッチ操作を受け付けるためのボタン画像を表示する表示制御ステップと、
前記表示面に前記ボタン画像が表示される場合に、当該表示面上において当該ボタン画像が表示される第１領域とこれ以外の第２領域とを判定する領域判定ステップと、
前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、
前記表示面に前記ボタン画像が複数、表示される場合に、各ボタン画像についてそのタッチ操作の頻度が閾値よりも低い低頻度のボタン画像と当該閾値よりも高い高頻度のボタン画像のいずれかに分類する頻度分類ステップと、
を実行させるためのプログラムであり、
前記タッチ位置検出機構は、
前記表示面上におけるＸ成分領域とＹ成分領域のそれぞれについて任意のタッチ位置を検出するための複数の検出部を備え、
前記検出指示ステップは、
前記頻度分類ステップにより高頻度に分類されたボタン画像が表示される第１領域のタッチ位置を検出するための検出部に、タッチ位置の検出動作が可能になる予め決められた許容範囲内における所定の標準電力が供給され、
低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うことを特徴とするプログラム。
【発明の詳細な説明】
【技術分野】
【０００１】
本発明は、画像形成装置、携帯情報端末装置、車載用情報端末装置等の各種電子機器に使用されるタッチパネル入力装置に関する。
【背景技術】
【０００２】
近時、プリンター、複合機（MFP：Multi Function Peripheral）等の画像形成装置、携帯端末装置、車載用端末装置等の電子機器には、タッチパネル入力装置が使用されることがある。タッチパネル入力装置には、通常、各種情報を表示する表示パネルと、ユーザーによって表示パネルの表面（以下、「表示面」という。）のタッチ位置を検出するタッチ位置検出機構とが設けられている。
【０００３】
タッチパネル入力装置がユーザーの指示を受け付ける場合には、表示パネルの表示面に所定の画像が表示される。表示面に表示される画像には、ユーザーのタッチ操作を受け付けるボタンやアイコン等の画像（以下、「ボタン画像」という。）が含まれている場合がある。ボタン画像には、例えばメニュー画面に表示される各種ボタンや、表示面に表示されるいわゆるソフトウエアキーボードの各キーなども含まれる。
【０００４】
表示面にボタン画像が表示される場合、ボタン画像の表示位置に対するタッチ位置がタッチ位置検出機構によって検出されると、そのボタンに対して予め割り当てられた例えばコピー開始の指示などを示す情報の入力が受け付けられる。
このようなタッチパネル入力装置では、ユーザーの操作性、視認性等を考慮して、表示パネルが大型化される傾向にある。しかし、表示パネルが大型化すると、表示パネルの消費電力が増加するだけでなく、表示パネルのタッチ位置を検出するタッチ位置検出機構の消費電力も増加する。このために、表示パネルが大型化しても、タッチパネル入力装置全体における消費電力の低減が要望されている。
【０００５】
特許文献１には、液晶表示部と、液晶表示部に光を照射する光源部（バックライト）とを備えたタッチパネルを有する画像形成装置が開示されている。このタッチパネルでは、光源部によって液晶表示部に光が照射されることによって表示面に、印刷用紙のサイズなどの各種設定項目や設定項目選択キーなどを示す画像が表示される。
このような構成において、タッチ位置検出機構によって検出される設定項目の選択回数が少ない場合に、当該設定項目と設定項目選択キーの表示画像に照射される光の輝度が低下するようにバックライトが制御される。これにより、液晶表示部に光を照射するバックライトの消費電力を低減することができる。
【先行技術文献】
【特許文献】
【０００６】
【特許文献１】特開２０１２−４７９８０号公報
【発明の概要】
【発明が解決しようとする課題】
【０００７】
しかしながら、特許文献１の技術は、液晶表示部の電力を低減できるにとどまり、タッチ位置検出機構の消費電力を低減するものではない。
表示パネルとして、最近普及しつつある、バックライトを有さない構成のものを用い、それにタッチ位置検出機構を設置して、バックライトを備えたものよりも更に低消費電力化を図ったタッチパネル入力装置が考えられるが、表示パネルの大型化、高画素化に応じてタッチ位置検出機構の消費電力の増大が無視できず、この点の改善が望まれている。
【０００８】
本発明は、上記の問題に鑑みてなされたものであり、その目的は、表示パネルがバックライトを有する構成であるか否かに関係なく、消費電力を低減することができるタッチパネル入力装置を提供することにある。
【課題を解決するための手段】
【０００９】
上記目的を達成するため、本発明の第１の局面に係るタッチパネル入力装置は、表示面を有する表示パネルと、前記表示パネルの表示面に、操作者によるタッチ操作を受け付けるためのボタン画像を表示する表示制御手段と、前記表示パネルの表示面上における任意のタッチ位置をＸ−Ｙ直交座標系の２成分として検出可能なタッチ位置検出機構と、前記表示面に前記ボタン画像が表示される場合に、当該表示面上において当該ボタン画像が表示される第１領域とこれ以外の第２領域とを判定する領域判定手段と、前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、前記表示面に前記ボタン画像が複数、表示される場合に、Ｘ方向またはＹ方向に沿って各ボタン画像が１列に配置されるか否かを判断する配置判断手段と、を備え、前記検出指示手段は、前記配置判断手段によって、前記各ボタン画像がＸ方向に沿って１列に配置されていることが判断される場合に、前記タッチ位置検出機構に対して、直交座標系のＹ成分領域については前記領域判定の結果に関わらず全ての検出をオフ状態にすることを指示し、前記各ボタン画像がＹ方向に沿って１列に配置されていることが判断される場合に、前記タッチ位置検出機構に対して、直交座標系のＸ成分領域については前記領域判定の結果に関わらず全ての検出をオフ状態にすることを指示することを特徴とする。
【００１１】
ここで、前記配置判断手段によって、前記各ボタン画像がＸ方向またはＹ方向に沿って１列に配置されていることが判断された場合に、前記各ボタン画像についてそのタッチ操作の頻度が閾値よりも低い低頻度のボタン画像と当該閾値よりも高い高頻度のボタン画像のいずれかに分類する頻度分類手段をさらに有し、前記タッチ位置検出機構は、前記表示面上におけるＸ成分領域とＹ成分領域のそれぞれについて任意のタッチ位置を検出するための複数の検出部を備え、前記検出指示手段は、前記頻度分類手段により高頻度に分類されたボタン画像が表示される第１領域のタッチ位置を検出するための検出部に、タッチ位置の検出動作が可能になる予め決められた許容範囲内における所定の標準電力が供給され、低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うとしても良い。
【００１２】
また、前記配置判断手段によって、前記各ボタン画像がＸ方向またはＹ方向に沿って１列に配置されていることが判断された場合に、前記各ボタン画像についてそのタッチ操作の頻度が閾値よりも低い低頻度のボタン画像と当該閾値よりも高い高頻度のボタン画像のいずれかに分類する頻度分類手段をさらに有し、前記タッチ位置検出機構は、前記表示面上におけるＸ成分領域とＹ成分領域のそれぞれについて任意のタッチ位置を検出するための複数の検出部を備え、前記検出指示手段は、タッチ位置の検出を実行すべき２以上の検出部に対して一つずつ順番にタッチ位置検出のための電力供給が行われ、かつ、前記頻度分類手段による分類の結果、低頻度に分類されたボタン画像が表示される第１領域のタッチ位置を検出するための検出部に電力を供給する時間の長さが、高頻度に分類されたボタン画像が表示される第１領域のタッチ位置を検出するための検出部に電力を供給する時間の長さよりも短くなるように、前記タッチ位置検出機構に対して指示を行うとしても良い。
【００１３】
さらに、前記表示制御手段は、前記頻度分類手段による分類の結果、低頻度および高頻度のそれぞれに分類されたボタン画像のいずれか一方または両方が複数の場合に、低頻度に分類されたボタン画像の全てと、高頻度に分類されたボタン画像の全てとが、前記配列方向に沿って分離された状態になるように、前記各ボタン画像の表示位置を並び替えるとしても良い。
【００１４】
本発明の第２の局面に係るタッチパネル入力装置は、表示面を有する表示パネルと、前記表示パネルの表示面に、操作者によるタッチ操作を受け付けるためのボタン画像を表示する表示制御手段と、前記表示パネルの表示面上における任意のタッチ位置をＸ−Ｙ直交座標系の２成分として検出可能なタッチ位置検出機構と、前記表示面に前記ボタン画像が表示される場合に、当該表示面上において当該ボタン画像が表示される第１領域とこれ以外の第２領域とを判定する領域判定手段と、前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、前記ボタン画像が複数、存在し、当該各ボタン画像の予め決められている表示態様をこれとは異なる所定の表示態様に変更する表示位置変更を行うと仮定した場合に、タッチ位置の検出をオフ状態にできるＸ成分領域およびＹ成分領域の面積が増加するかを判定する領域増加判定手段と、を備え、前記表示制御手段は、前記領域増加判定手段による判定の結果、前記面積が増加する場合に、前記表示位置を変更することを特徴とする。
【００１５】
ここで、前記予め決められている表示態様は、前記各ボタン画像がＸ方向またはＹ方向に沿った複数の列で表示されることであり、前記所定の表示態様は、前記各ボタン画像がＸ方向またはＹ方向に沿った１列で表示されることであるとしても良い。
また、前記予め決められている表示態様は、前記各ボタン画像が分散状態で表示されることであり、前記所定の表示態様は、前記各ボタン画像が１個所に集中して表示されることであるとしても良い。
【００１６】
ここで、前記表示制御手段は、前記表示位置を変更する前に、前記予め決められている表示態様で表示し、前記予め決められている表示態様が前記表示面に表示されているときに、ユーザーの最初のタッチ操作によるタッチ位置が前記タッチ位置検出機構により検出されると、当該検出されたタッチ位置に基づき前記１個所を決めて、決めた１個所に集中表示されるように前記表示位置を変更するとしても良い。
【００１７】
本発明の第３の局面に係るタッチパネル入力装置は、表示面を有する表示パネルと、前記表示パネルの表示面に、操作者によるタッチ操作を受け付けるためのボタン画像を表示する表示制御手段と、前記表示パネルの表示面上における任意のタッチ位置をＸ−Ｙ直交座標系の２成分として検出可能なタッチ位置検出機構と、前記表示面に前記ボタン画像が表示される場合に、当該表示面上において当該ボタン画像が表示される第１領域とこれ以外の第２領域とを判定する領域判定手段と、前記領域判定手段の判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示手段と、前記表示面に前記ボタン画像が複数、表示される場合に、各ボタン画像についてそのタッチ操作の頻度が閾値よりも低い低頻度のボタン画像と当該閾値よりも高い高頻度のボタン画像のいずれかに分類する頻度分類手段と、を備え、前記タッチ位置検出機構は、前記表示面上におけるＸ成分領域とＹ成分領域のそれぞれについて任意のタッチ位置を検出するための複数の検出部を備え、前記検出指示手段は、前記頻度分類手段により高頻度に分類されたボタン画像が表示される第１領域のタッチ位置を検出するための検出部に、タッチ位置の検出動作が可能になる予め決められた許容範囲内における所定の標準電力が供給され、低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うことを特徴とする。
【００１８】
さらに、前記領域判定手段は、前記表示面に表示されるボタン画像の輪郭を指標するＸ座標およびＹ座標を取得する輪郭座標取得部を備え、前記取得されたＸ座標およびＹ座標を利用して、前記第１領域と第２領域の判定を行うとしても良い。
【００２１】
また、前記タッチ位置検出機構は、前記表示パネルにおける表示面の周囲に、Ｙ軸方向に対向する２辺の一方に複数の発光素子からなる第１発光素子列とその他方に複数の受光素子からなる第１受光素子列とが対向配置され、かつ、Ｘ軸方向に対向する２辺の一方に複数の発光素子からなる第２発光素子列とその他方に複数の受光素子からなる第２受光素子列とが対向配置されてなる検出光学系と、前記それぞれの発光素子を制御する発光制御部と、を備え、前記検出指示手段は、前記タッチ位置の検出をオフ状態にすべきＸ成分領域とＹ成分領域の検出に用いられる発光素子に電力を供給せず、前記第１領域に相当する直交座標系のＸ成分領域とＹ成分領域のタッチ位置の検出に用いられる発光素子にタッチ位置の検出のための電力を供給する指示を前記発光制御部に対して行うとしても良い。
【００２２】
ここで、前記それぞれの発光素子は、個別にスイッチを介して発光側の電力供給線に接続されており、前記検出指示手段は、前記タッチ位置の検出をオフ状態にすべきＸ成分領域とＹ成分領域の検出に用いられる発光素子に接続されたスイッチがオフ状態になり、前記第１領域に相当する直交座標系のＸ成分領域とＹ成分領域のタッチ位置の検出に用いられる発光素子に接続されるスイッチがオン状態になるように、各スイッチのオンとオフの切り替え制御の指示を前記発光制御部に対して行うとしても良い。
本発明の第４の局面に係るプログラムは、表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、前記表示パネルの表示面に、操作者によるタッチ操作を受け付けるためのボタン画像を表示する表示制御ステップと、前記表示面に前記ボタン画像が表示される場合に、当該表示面上において当該ボタン画像が表示される第１領域とこれ以外の第２領域とを判定する領域判定ステップと、前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、前記表示面に前記ボタン画像が複数、表示される場合に、Ｘ方向またはＹ方向に沿って各ボタン画像が１列に配置されるか否かを判断する配置判断ステップと、を実行させるためのプログラムであり、前記検出指示ステップは、前記配置判断ステップによって、前記各ボタン画像がＸ方向に沿って１列に配置されていることが判断される場合に、前記タッチ位置検出機構に対して、直交座標系のＹ成分領域については前記領域判定の結果に関わらず全ての検出をオフ状態にすることを指示し、前記各ボタン画像がＹ方向に沿って１列に配置されていることが判断される場合に、前記タッチ位置検出機構に対して、直交座標系のＸ成分領域については前記領域判定の結果に関わらず全ての検出をオフ状態にすることを指示することを特徴とする。
本発明の第５の局面に係るプログラムは、表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、前記表示パネルの表示面に、操作者によるタッチ操作を受け付けるためのボタン画像を表示する表示制御ステップと、前記表示面に前記ボタン画像が表示される場合に、当該表示面上において当該ボタン画像が表示される第１領域とこれ以外の第２領域とを判定する領域判定ステップと、前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、前記ボタン画像が複数、存在し、当該各ボタン画像の予め決められている表示態様をこれとは異なる所定の表示態様に変更する表示位置変更を行うと仮定した場合に、タッチ位置の検出をオフ状態にできるＸ成分領域およびＹ成分領域の面積が増加するかを判定する領域増加判定ステップと、を実行させるためのプログラムであり、前記表示制御ステップは、前記領域増加判定ステップによる判定の結果、前記面積が増加する場合に、前記表示位置を変更することを特徴とする。
本発明の第６の局面に係るプログラムは、表示面を有する表示パネルと、前記表示パネルの表示面上における任意のタッチ位置をＸ−Ｙ直交座標系の２成分として検出可能なタッチ位置検出機構を有するタッチパネル入力装置のコンピューターに、前記表示パネルの表示面に、操作者によるタッチ操作を受け付けるためのボタン画像を表示する表示制御ステップと、前記表示面に前記ボタン画像が表示される場合に、当該表示面上において当該ボタン画像が表示される第１領域とこれ以外の第２領域とを判定する領域判定ステップと、前記領域判定ステップの判定結果を参照して、前記タッチ位置検出機構に対して、前記第２領域のうち少なくとも一部の領域に相当する直交座標系のＸ成分領域とＹ成分領域のタッチ位置の検出をオフ状態にし、かつ前記第１領域に相当する直交座標系のＸ成分領域とＹ成分領域のタッチ位置の検出の実行を指示する検出指示ステップと、前記表示面に前記ボタン画像が複数、表示される場合に、各ボタン画像についてそのタッチ操作の頻度が閾値よりも低い低頻度のボタン画像と当該閾値よりも高い高頻度のボタン画像のいずれかに分類する頻度分類ステップと、を実行させるためのプログラムであり、前記タッチ位置検出機構は、前記表示面上におけるＸ成分領域とＹ成分領域のそれぞれについて任意のタッチ位置を検出するための複数の検出部を備え、前記検出指示ステップは、前記頻度分類ステップにより高頻度に分類されたボタン画像が表示される第１領域のタッチ位置を検出するための検出部に、タッチ位置の検出動作が可能になる予め決められた許容範囲内における所定の標準電力が供給され、低頻度に分類されたボタン画像が表示される第１領域のタッチ位置を検出するための検出部に前記許容範囲内において前記標準電力よりも低い所定の電力が供給されるように、前記タッチ位置検出機構に対して指示を行うことを特徴とする。
【発明の効果】
【００２３】
本発明の第１の局面に係るタッチパネル入力装置では、タッチ位置検出機構は、表示面上において画像が表示される第１領域以外の第２領域のうち少なくとも一部の領域に相当する直交座標系のＸ成分領域とＹ成分領域のタッチ位置の検出がオフ状態とされる。
これにより、タッチ位置検出機構の消費電力を、表示面の全域のタッチ位置を検出する構成よりも低減することができ、表示パネルがバックライトを有するか否かに関係なく、タッチパネル入力装置全体の消費電力を低減することができる。
【００２４】
また、本発明の第２の局面に係るタッチパネル入力装置では、表示パネルの表示面に表示されたスライド操作画面におけるタッチ位置部分およびその周辺部分だけの検出が実行される。これにより、タッチ位置のスライドおよびスライド方向の検出を可能としつつ、タッチ位置検出機構における消費電力を表示面の全域のタッチ位置を検出する場合よりも低減でき、タッチパネル入力装置全体の消費電力の低減を実現することができる。
【図面の簡単な説明】
【００２５】
【図１】タッチパネル入力装置が設けられたＭＦＰの外観を示す斜視図である。
【図２】タッチパネル入力装置の構成を説明するための模式図である。
【図３】タッチパネル入力装置における表示パネルの表示面に表示されたタッチ操作画面の例を示す図である。
【図４】タッチパネル入力装置における表示パネルの表示面に表示される別のタッチ操作画面の例を示す図である。
【図５】タッチパネル入力装置において実行される省電力制御の処理手順を示すフローチャートである。
【図６】図５のフローチャートに連続する省電力制御の処理手順を示すフローチャートである。
【図７】タッチパネル入力装置における表示パネルの表示面に表示されるさらに別のタッチ操作画面の例を示す図である。
【図８】省電力制御において実行される操作頻度基準処理のサブルーチンを示すフローチャートである。
【図９】（ａ）は、操作頻度基準処理が実行される前のタッチ操作画面が表示パネルの表示面に表示された状態の模式図である。（ｂ）は、（ａ）に示されたタッチ操作画面のボタン画像を、操作頻度基準処理の実行によって並び替えた変更画像が表示パネルの表示面に表示された状態の模式図である。
【図１０】（ａ）は、複数列領域画像が表示パネルの表示面に表示された状態の模式図である。（ｂ）は、（ａ）に示された複数列領域画像を、単列領域表示処理の実行によって並び替えた単列領域画像が表示パネルの表示面に表示された状態の模式図である。
【図１１】省電力制御において実行される単列領域表示処理のサブルーチンを示すフローチャートである。
【図１２】（ａ）は、集中表示処理が実行可能と判定されるタッチ操作画面が表示パネルの表示面に表示された場合の一例を示す模式図である。（ｂ）は、（ａ）に示されたタッチ操作画面のボタン画像を、集中表示処理の実行によって表示面の左側寄りに集中表示した画像が表示パネルの表示面に表示された状態の模式図である。
【図１３】（ａ）は、タッチ操作画面のボタン画像を、集中表示処理の実行によって表示面の中央に集中表示した画像が表示パネルの表示面に表示された状態の模式図である。（ｂ）は、タッチ操作画面のボタン画像を、集中表示処理の実行によって表示面の右側寄りに集中表示した画像が表示パネルの表示面に表示された状態の模式図である。
【図１４】省電力制御において実行される集中表示処理のサブルーチンを示すフローチャートである。
【図１５】省電力制御において実行されるスライド操作省電力処理のサブルーチンを示すフローチャートである。
【図１６】図１５のフローチャートに連続するスライド操作省電力処理の処理手順を示すフローチャートである。
【図１７】表示パネルに表示されたシングルタッチ画面上でのユーザーによるタッチ位置がスライド操作される前の状態とスライド操作された後の状態を説明するための模式図である。
【図１８】（ａ）は、表示パネルに表示されたダブルタッチ画面をユーザーがピンチアウト操作を行うために、最初に表示パネルをタッチ操作した状態を説明するための模式図である。（ｂ）は、（ａ）に示す状態で、ユーザーがピンチアウト操作を実行した状態を説明するための模式図である。
【発明を実施するための形態】
【００２６】
以下、本発明の実施の形態について説明する。
［ＭＦＰ］
図１は、本発明の実施形態に係るタッチパネル入力装置が設けられた画像形成装置の一例であるＭＦＰの外観を示す斜視図である。
このＭＦＰは、画像形成本体部Ａと、タッチパネル入力装置Ｂとを有している。
【００２７】
画像形成本体部Ａは、電子写真方式によって記録シート上にトナー画像を形成してプリントアウトする画像形成機能、原稿の画像を読み取るスキャン機能、スキャンされたデータを送信する送信機能等を備えている。
タッチパネル入力装置Ｂは、各種情報の入力を受け付けるための画像を表示する機能と、画像が表示された表示面に対するユーザーのタッチ操作およびタッチ位置を検出する機能とを有している。
【００２８】
［タッチパネル入力装置］
図２は、本実施形態に係るタッチパネル入力装置Ｂの構成を説明するための模式図である。タッチパネル入力装置Ｂは、表示パネル１０およびタッチ位置検出機構２０と、表示パネル１０およびタッチ位置検出機構２０のそれぞれを制御する主制御部３０とを有している。
【００２９】
表示パネル１０は、各種画像が表示される表示パネル本体１１と、表示パネル本体１１を制御する表示制御部１３とを有している。
表示パネル１０の表示パネル本体１１は、例えば液晶表示パネルによって構成されている。なお、表示パネル本体１１は、バックライトが設けられた構成、バックライトが設けられていない構成のいずれであってもよい。
【００３０】
表示制御部１３は、表示パネル本体１１における表示面１１ａ（図１において正面側に向けられた表面）に各種画像が表示されるように表示パネル本体１１を制御する。
表示パネル本体１１の表示面１１ａは横長の長方形状に構成されており、ユーザーによるタッチ操作が可能になっている。なお、以下においては、表示面１１ａにおける横方向を「Ｘ方向」、縦方向を「Ｙ方向」とする。
【００３１】
タッチ位置検出機構２０は、表示パネル本体１１の表示面１１ａ上におけるユーザーの指、入力ペン等によるタッチ位置を検出する。
タッチ位置検出機構２０は、表示パネル１０における表示面１１ａの周囲であって、Ｙ軸方向に対向する２辺の一方に設けられた第１発光部２１Ａと、他方に設けられた第１受光部２１Ｂとを有している。第１発光部２１Ａには、複数の第１発光素子２１ａからなる第１発光素子列２１Ｍが設けられている。第１受光部２１Ｂには、複数の第１受光素子２１ｂからなる第１受光素子列２１Ｎが設けられている。
【００３２】
また、タッチ位置検出機構２０は、表示パネル１０における表示面１１ａの周囲であって、Ｘ軸方向に対向する２辺の一方に設けられた第２発光部２２Ａと、他方に設けられた第２受光部２２Ｂとを有している。第２発光部２２Ａには、複数の第２発光素子２２ａからなる第２発光素子列２２Ｍが設けられている。第２受光部２２Ｂには、複数の第２受光素子２２ｂからなる第２受光素子列２２Ｎが設けられている。
【００３３】
第１発光部２１Ａおよび第１受光部２１Ｂと、第２発光部２２Ａおよび第２受光部２２Ｂとは、表示面１１ａ上のタッチ位置を検出する検出光学系を構成している。
第１発光部２１Ａにおける各第１発光素子２１ａは、ＬＥＤによってそれぞれ構成されており、それぞれがＸ方向に沿って一定の間隔、例えば２〜３ｍｍ程度をあけて配置されている。各第１発光素子２１ａは、それぞれから照射される光が、表示パネル本体１１の表示面１１ａに対して例えば１〜２ｍｍ程度の上方域をＹ方向に沿って通過するように設けられている。
【００３４】
第１発光素子２１ａのそれぞれは、常開の第１発光側スイッチ２１ｃを介して、１本の第１発光側電力供給線２１ｅに接続されている。第１発光側スイッチ２１ｃのそれぞれは、発光制御部２５によって、オン（開）状態およびオフ（閉）状態に制御される。
発光制御部２５は、主制御部３０からの指示により、選択された１つの第１発光側スイッチ２１ｃを、所定のタイミングでオン状態に制御する。この場合、他の第１発光側スイッチ２１ｃはオフ状態に制御される。
【００３５】
第１発光側電力供給線２１ｅには、発光側電流制御部２３によって制御された電流が供給される。発光側電流制御部２３は発光制御部２５によって制御される。発光側電流制御部２３は、いずれか１つの第１発光側スイッチ２１ｃがオン状態になるタイミングで、第１発光側電力供給線２１ｅに所定の電流を供給する。
これにより、オン状態になる第１発光側スイッチ２１ｃが接続された第１発光素子２１ａに所定の電流が供給される。当該第１発光素子２１ａは、供給された電流に対応した強度の光を発光する動作状態（駆動状態）になる。
【００３６】
この場合、オン状態になった第１発光側スイッチ２１ｃ以外の第１発光側スイッチ２１ｃはオフ状態とされる。このために、オフ状態になった第１発光側スイッチ２１ｃに接続された第１発光素子２１ａには、第１発光側電力供給線２１ｅから電流は供給されず、それぞれは、発光が停止した非動作状態（非駆動状態）になる。
発光制御部２５は、第１発光側スイッチ２１ｃのそれぞれを、Ｘ方向に沿って配置された順番で一つずつオン状態とし、それ以外をオフ状態に切り替え制御する。
【００３７】
この第１発光側スイッチ２１ｃのオンとオフの切り替え制御は、後述する省電力制御が実行される場合、全ての第１発光側スイッチ２１ｃが対象になるのではなく、複数個の第１発光素子２１ａのうち、非動作状態（オフ状態）に設定された第１発光素子２１ａに接続される第１発光側スイッチ２１ｃについては、オン状態とされずにオフ状態を維持する制御が実行されるようになっている。切り替え制御の対象とされる各第１発光側スイッチ２１ｃを１つずつ順番にオンする場合の切り替え周期は、例えば数ミリ秒や数十ミリ秒とすることができる。第２発光部２２Ａも同様である。
【００３８】
第１発光部２１Ａに対向する第１受光部２１Ｂにおける各第１受光素子２１ｂは、それぞれフォトダイオードによって構成されている。第１受光素子２１ｂのそれぞれは、第１発光素子２１ａのそれぞれから照射された光を受光するように、第１発光素子２１ａのそれぞれに対向して配置されている。従って、第１受光素子２１ｂのそれぞれも、第１発光素子２１ａのそれぞれと同様に、Ｘ方向に沿って２〜３ｍｍ程度の一定の間隔をあけて配置されている。
【００３９】
第１受光素子２１ｂのそれぞれは、第１受光側スイッチ２１ｄを介して、１本の第１受光側電力供給線２１ｆに接続されている。第１受光側電力供給線２１ｆには、受光側電流制御部２４によって制御された電流が供給される。
第１受光素子２１ｂに接続された第１受光側スイッチ２１ｄは、受光制御部２６によって、第１受光素子２１ｂに対向する第１発光素子２１ａに接続された第１発光側スイッチ２１ｃに同期してオンおよびオフされる。従って、いずれか１つの第１発光素子２１ａが動作（発光）状態になるタイミングで、当該第１発光素子２１ａに対向する第１受光素子２１ｂに接続された第１受光側スイッチ２１ｄがオン状態に制御される。
【００４０】
受光側電流制御部２４は、受光制御部２６の指示により、第１受光側スイッチ２１ｄがオンするタイミングで、予め設定された所定の電流を第１受光側電力供給線２１ｆに供給する。従って、第１受光素子２１ｂに接続された第１受光側スイッチ２１ｄがオンするタイミングで、当該第１受光素子２１ｂに所定の電流が供給される。これにより、第１受光素子２１ｂのそれぞれは、第１受光側スイッチ２１ｄがオンするタイミングで、光に反応する動作状態（駆動（オン）状態）になる。
【００４１】
動作状態になった第１受光素子２１ｂは、対向する第１発光素子２１ａから発せられた光を受光すると、受光した光の強度に対応した電流を出力する。第１受光素子２１ｂのそれぞれの出力は、主制御部３０に与えられている。
第１受光素子２１ｂが動作状態の場合、対向する第１発光素子２１ａから照射された光が、表示面１１ａをタッチした指等によって遮光されると、第１受光素子２１ｂが受光する光の強度は低下し、当該第１受光素子２１ｂから出力される電流が低下する。
【００４２】
主制御部３０は、動作状態になった第１受光素子２１ｂから出力される電流値が予め設定された電流値（以下、「閾値電流」という。）よりも低下すると、ユーザーによって表示面３１ａがタッチ操作されたものと判定する。
これに対して、第１発光素子２１ａが非動作（非発光）状態に設定される場合には、当該第１発光素子２１ａに対向する第１受光素子２１ｂに接続された第１受光側スイッチ２１ｄは、オフ状態を維持するように制御される。これにより、オフ状態の第１受光側スイッチ２１ｄに接続された第１受光素子２１ｂは、第１受光側電力供給線２１ｆから電流が供給されず、光に反応しない非動作状態（オフ状態）になる。このような非動作状態の第１受光素子２１ｂは、対向する第１発光素子２１ａから照射される光を受光したとしても、電流を出力することはない。
【００４３】
主制御部３０は、順番に一つずつ動作状態になった第１受光素子２１ｂのうち、出力される電流値が予め設定された閾値電流よりも低下した第１受光素子２１ｂ、すなわちユーザーによるタッチ操作を判定した第１受光素子２１ｂを特定し、特定した第１受光素子２１ｂのＸ座標位置に基づいて、表示面１１ａにおけるタッチ位置のＸ座標を検出する。なお、それぞれの第１受光素子２１ｂごとに表示面１１ａに対するＸ座標位置が予め対応付けて記憶されている。
【００４４】
このように、表示面１１ａにおける異なるＸ座標位置において相互に対向して配置された第１発光素子２１ａおよび第１受光素子２１ｂの組は、表示面１１ａにおけるＸ成分領域のタッチ位置を検出する第１センサー２１ｘ（検出部）を構成している。第１センサー２１ｘのそれぞれは、当該第１センサー２１ｘが配置されたＸ座標位置におけるＹ方向に沿った全域をタッチ位置の検出対象とした透過型光学センサーになっている。
【００４５】
次に、第２発光部２２Ａおよび第２受光部２２Ｂについて説明する。
第２発光部２２Ａにおける各第２発光素子２２ａもＬＥＤによってそれぞれ構成されており、それぞれがＹ方向に沿って一定の間隔、例えば２〜３ｍｍ程度をあけて配置されている。第２発光部２２Ａは、各第２発光素子２２ａから照射される光が、表示パネル本体１１の表示面１１ａに対して例えば１〜２ｍｍ程度の上方域をＸ方向に沿って通過すること以外は、第１発光部２１Ａと同様の構成になっている。
【００４６】
具体的には、第２発光素子２２ａのそれぞれは、第２発光側スイッチ２２ｃを介して、１本の第２発光側電力供給線２２ｅに接続されている。第２発光側スイッチ２２ｃのそれぞれは、発光制御部２５によって、オン状態およびオフ状態に制御される。また、第２発光側電力供給線２２ｅに供給される電流は、発光側電流制御部２３によって制御される。
このような構成の第２発光部２２Ａは、動作状態に設定された第２発光素子２２ａが、Ｙ方向に沿って順番に動作状態となるように制御される。このこと以外は、第１発光部２１Ａと同様になっており、従って、非動作状態に設定された第２発光素子２２ａは、電流が供給されないことにより、非発光状態を維持する。
【００４７】
第２発光部２２Ａに対向する第２受光部２２Ｂにおける各第２受光素子２２ｂも、それぞれフォトダイオードによって構成されている。第２受光素子２２ｂのそれぞれは、第２発光素子２２ａのそれぞれから照射された光を受光するように、第２発光素子２２ａのそれぞれに対向して配置されている。第２受光部２２Ｂも、第２受光素子２２ｂがＹ方向に沿って配置されていること以外は、第１受光部２２Ａと同様の構成になっている。
【００４８】
具体的には、第２受光部２２Ｂにおける第２受光素子２２ｂのそれぞれは、第２受光側スイッチ２２ｄを介して、１本の第２受光側電力供給線２２ｆに接続されている。第２受光側スイッチ２２ｄのそれぞれは、受光制御部２６によって、オン状態およびオフ状態に制御される。また、第２受光側電力供給線２２ｆに供給される電流は、受光側電流制御部２４によって制御される。
【００４９】
このような構成の第２受光部２２Ｂは、第１受光部２１Ｂと同様に、第２受光素子２２ｂのそれぞれが、対向する第２発光素子２２ａが動作状態になるタイミングで動作状態になるように制御される。
動作状態になった第２受光素子２２ｂは、受光量に対応した電流を主制御部３０に出力する。また、第２受光素子２２ｂは、電流が供給されないことにより、光に反応しない非動作状態になり、光を受光しても電流を出力することはない。
【００５０】
第２受光素子２２ｂが動作状態の場合、対向する第２発光素子２２ａから照射された光が、表示面１１ａをタッチした指等によって遮光されると、第２受光素子２２ｂが受光する光の強度は低下し、当該第２受光素子２２ｂから出力される電流が低下する。
一方で、第２発光素子２２ａが非動作（非発光）状態に設定される場合には、当該第２発光素子２２ａに対向する第２受光素子２２ｂに接続された第２受光側スイッチ２２ｄは、オフ状態を維持するように制御される。これにより、オフ状態の第２受光側スイッチ２２ｄに接続された第２受光素子２２ｂは、第２受光側電力供給線２２ｆから電流が供給されず、光に反応しない非動作状態（オフ状態）になる。
【００５１】
主制御部３０は、順番に一つずつ動作状態になった第２受光素子２２ｂのうち、出力される電流値が閾値電流よりも低下した第２受光素子２２ｂ、すなわちユーザーによるタッチ操作を検出した第２受光素子２２ｂを特定し、特定した第２受光素子２２ｂのＹ座標位置に基づいて、表示面１１ａにおけるタッチ位置のＹ座標を検出する。なお、第２受光素子２２ｂの座標位置は、第２受光素子２２ｂごとに予め対応付けされて記憶されている。
【００５２】
このタッチ位置のＹ座標の検出と上記のＸ座標の検出により、表示面１１ａ上におけるユーザーのタッチ操作によるタッチ位置がＸ−Ｙ直交座標系の座標として検出される。
このように、表示面１１ａにおける異なるＹ座標位置において相互に対向して配置された第２発光素子２２ａおよび第２受光素子２２ｂの組は、表示面１１ａにおけるＹ成分領域のタッチ位置を検出する第２センサー２２ｙ（検出部）を構成している。第２センサー２２ｙのそれぞれは、当該第２センサー２２ｙが配置されたＹ座標位置におけるＸ方向に沿った全域をタッチ位置の検出対象とした透過型光学センサーになっている。
【００５３】
主制御部３０は、所定の情報の入力を受け付ける入力操作画面を表示パネル本体１１の表示面１１ａに表示することを表示制御部１３に指示する。
また、表示面１１ａ上に入力操作画面が表示された状態で、タッチ位置検出機構２０によってタッチ位置が検出されると、主制御部３０は、検出されたタッチ位置に基づいて所定の情報の入力を受け付ける。
【００５４】
［入力操作画面］
次に、表示パネル本体１１の表示面１１ａに表示される入力操作画面について説明する。入力操作画面には、タッチ操作画面とスライド操作画面とがある。
タッチ操作画面は、例えば図３に示す画面からなり、１つの画面内に、ユーザーによる表示面１１ａのタッチ操作によって所定の情報の入力を受け付ける１個以上のボタン画像、ここではＢ１〜Ｂ４が含まれている。ここで、ボタン画像とは、ユーザーがタッチ操作する、若しくは、ユーザーのタッチ操作による文字入力を要求するボタンやキーなどの形状を示す画像をいう。
【００５５】
タッチ操作画面が表示面１１ａに表示されると、表示面１１ａは、ボタン画像が表示されている部分（第１領域）と、ボタン画像以外の表示画像あるいは背景画像が存在する残りの部分（第２領域）のいずれかになる。以下では、ボタン画像以外の残りの部分の画像を背景画像、第１領域をボタン画像領域、第２領域を背景画像領域という。
表示面１１ａにタッチ操作画面が表示されると、前述したように、タッチ位置検出機構２０は、表示面１１ａのタッチ位置（Ｘ−Ｙ座標）を検出し、主制御部３０は、そのタッチ位置からどのボタン画像領域がタッチ操作されたのか、すなわちユーザーによりどのボタンが選択されたのかを特定する。
【００５６】
そして、主制御部３０は、ボタン画像領域に表示されたボタン画像に予め設定された所定の情報の入力（文字入力を含む）を受け付けて、受け付けられた所定の情報に関する処理を画像形成本体部Ａに指示する。
一方、スライド操作画面とは、ユーザーが表示面１１ａのタッチ位置をスライドさせることによって所定の情報の入力を受け付ける場合に、表示面１１ａに表示される画面であり、シングルタッチ画面とダブルタッチ画面の２つがある。
【００５７】
シングルタッチ画面とは、フリック操作のように、例えば、表示面１１ａにタッチされた１本の指を１方向へスライドさせることによって所定の情報の入力を受け付ける際に表示される（図１７参照）。
一方、ダブルタッチ画面とは、ピンチイン操作およびピンチアウト操作のように、例えば、表示面１１ａにタッチされた２本の指を相反する方向へスライドさせることによって所定情報の入力を受け付ける際に表示される（図１８参照）。
【００５８】
図２に戻って、主制御部３０の記憶部（不図示）には、複数のタッチ操作画面、複数のスライド操作画面のそれぞれの画像データが予め記憶されている。主制御部３０は、記憶部に記憶された複数のタッチ操作画面またはスライド操作画面から選択された１つの画面を表示面１１ａに表示することを表示制御部１３に指示する。
表示制御部１３は、主制御部３０の指示により、タッチ操作画面、スライド操作画面におけるシングルタッチ画面またはダブルタッチ画面のいずれか１つを、入力操作画面として表示面１１ａに表示する。表示面１１ａに表示された入力操作画面に対するタッチ操作によって所定情報の入力が受け付けられると、必要に応じて異なる入力操作画面が表示面１１ａに表示される。
【００５９】
＜タッチ操作画面＞
次に、表示パネル本体１１の表示面１１ａに表示されるタッチ操作画面を、図３を用いて具体的に説明する。
図３に示すタッチ操作画面には、表示面１１ａに表示される複数のボタン画像、ここでは４つのボタン画像Ｂ１〜Ｂ４が含まれている。この表示面１１ａにおけるボタン画像Ｂ１〜Ｂ４のそれぞれの表示領域がボタン画像領域になる。
【００６０】
ボタン画像Ｂ１〜Ｂ４は、表示面１１ａにおける上下方向（Ｙ方向）の下側において、Ｘ方向に沿って相互に間隔を空けた状態で１列に並んで表示されている。最も右側に表示されたボタン画像Ｂ１は楕円形状になっており、例えば、画像形成本体部Ａにおいてコピー動作などの各種動作モードでの動作の開始を受け付けるスタートボタンを表示する画像になっている。
【００６１】
ボタン画像Ｂ１に対して左側方向に順番に並んで表示されたボタン画像Ｂ２、Ｂ３、Ｂ４は、それぞれ同じ大きさの矩形状になっている。
ボタン画像Ｂ２は、画像形成時の画質調整の選択を受け付ける選択キーを表示する画像であり、ボタン画像Ｂ３は、スキャン動作時における原稿の読取モード（片面／両面読取など）の選択を受け付ける選択キーを表示する画像であり、ボタン画像Ｂ４は、画像形成動作時において使用される用紙サイズの選択を受け付ける選択キーを表示する画像になっている。これら隣り合うボタン画像同士のＸ方向の間隔は、等しくなっている。
【００６２】
表示面１１ａにおけるボタン画像Ｂ１〜Ｂ４の表示位置であるボタン画像領域のいずれかがタッチ操作されると、主制御部３０は、タッチ操作されたボタン画像に設定された情報（動作開始時など）が指示されたものとして、その指示を受け付ける。
表示面１１ａ上の全ての領域のうち、ボタン画像Ｂ１〜Ｂ４が表示されている領域以外の領域が背景画像領域であり、具体的には表示面１１ａにおける右側の辺とボタン画像Ｂ１との間、表示面１１ａにおける左側の辺とボタン画像Ｂ４との間、隣り合う２つのボタン画像の間、ボタン画像Ｂ１〜Ｂ４がＸ方向に並ぶ領域と表示面１１ａにおける上側の辺との間が含まれる。
【００６３】
図３には、タッチ位置検出機構２０における第１センサー２１ｘ（第１発光素子２１ａおよび第１受光素子２１ｂ）と、第２センサー２２ｙ（第２発光素子２２ａおよび第２受光素子２２ｂ）とを模式的に示している。
なお、図３では、説明を容易にするために、第１発光素子２１ａおよび第２発光素子２２ａの大きさ、ボタン画像Ｂ１〜Ｂ４の大きさ等は実際とは異なっている。表示面１１ａにおけるボタン画像Ｂ１〜Ｂ４が表示された部分は、通常、それぞれの上方域を、相互に隣接する複数個（通常、５個以上）の第１発光素子２１ａおよび第２発光素子２２ａのそれぞれから照射される光が通過する大きさになっている。
【００６４】
また、相互に隣り合うボタン画像の間の表示面１１ａの背景画像領域は、図３では、それぞれ、１つの第１発光素子２１ａから照射される光が通過する程度の大きさに示されている。しかし、実際には、それぞれの背景画像領域の上方を、２〜３個程度の第１発光素子２１ａのそれぞれから照射される光が通過する大きさになっている。
さらに、図３では、動作状態になった第１発光素子２１ａから発せられた光がその第１発光素子２１ａに対応する第１受光素子２１ｂに向かう様子を破線の矢印で模式的に示している。以下の各図でも発光素子から発せられた光を破線の矢印で示す場合がある。
【００６５】
タッチ操作画面は、複数個のボタン画像がＸ方向に沿って１列に配置された構成に限らず、例えば図４に示すようにＹ方向に沿って１列に配置される構成もある。
図４に示すタッチ操作画面には、複数のボタン画像Ｂｉが表示されている。
各ボタン画像Ｂｉには、画像形成本体部Ａに設けられた送信機能によって、データを送信する際の送信先としての氏名が表示されている。この各ボタン画像Ｂｉがそれぞれ表示された表示面１１ａにおける各表示領域がボタン画像領域になっている。
【００６６】
このタッチ操作画面は、画像形成本体部Ａの動作モードとしてデータの送信モードを選択した場合に、詳細設定画像またはポップアップ画像として表示面１１ａに表示される。
複数のボタン画像Ｂｉのそれぞれは同じ形状になっており、それぞれが、表示面１１ａにおけるＸ方向に沿った横長の長方形状になっている。全てのボタン画像Ｂｉは、隣り合うボタン画像Ｂｉ同士が相互に接した状態で、Ｙ方向に沿って１列に並んで表示されている。
【００６７】
全てのボタン画像Ｂｉと、表示面１１ａにおける左右の両側に位置する各辺との間は、表示面１１ａにおいてはＹ方向に沿った背景画像領域になっている。これらの背景画像領域は、Ｘ方向に沿った長さが比較的短く、表示面１１ａにおけるＹ方向の全域にわたって形成されている。
また、表示面１１ａにおけるＹ方向（上下方向）の最も上側および下側にそれぞれ表示された各ボタン画像Ｂｉと、表示面１１ａにおける上下の両側の各辺との間は、表示面１１ａにおけるＸ方向に沿った背景画像領域になっている。これらの背景画像領域は、Ｙ方向に沿った長さが比較的短く、表示面１１ａにおけるＸ方向の全域にわたって形成されている。
【００６８】
なお、図４においても、図３と同様に、タッチ位置検出機構２０における第１センサー２１ｘ（第１発光素子２１ａおよび第１受光素子２１ｂ）と、第２センサー２２ｙ（第２発光素子２２ａおよび第２受光素子２２ｂ）とを模式的に示している。
表示面１１ａにおける各ボタン画像Ｂｉの表示位置であるボタン画像領域がタッチ操作されると、主制御部３０は、各ボタン画像Ｂｉに設定されたアドレスにデータを送信することが指示されたものとして、その指示を受け付ける。
【００６９】
＜スライド操作画面＞
上記のようなタッチ操作画面に対して、スライド操作画面は、本実施形態では、表示面１１ａに表示された画像の一部を、移動、拡大、縮小のいずれかの操作を実行する際に表示される。
［省電力制御］
主制御部３０は、入力操作画面を表示パネル本体１１の表示面１１ａに表示することが指示されると、タッチ位置を検出する際にタッチ位置検出機構２０の消費電力を低減する省電力制御を実行する。省電力制御には、表示面１１ａにタッチ操作画面の表示が指示された場合に実行されるタッチ操作省電力処理と、表示面１１ａにスライド操作画面の表示が指示された場合に実行されるスライド操作省電力処理とがある。
【００７０】
タッチ操作省電力処理では、タッチ位置検出機構２０の消費電力を低減できる標準省電力モードの処理が実行される。また、ユーザーの選択によって、タッチ位置検出機構２０における消費電力の低減を優先的に実行する省電力優先モードの処理を実行することも可能になっている。ユーザーによる省電力優先モードの選択は、ＭＦＰの初期設定において、あるいは、ＭＦＰを使用している間の任意のタイミングで行われる。
【００７１】
スライド操作省電力処理では、シングルタッチ画面またはダブルタッチ画面におけるタッチ位置およびタッチ位置のスライドを検出する際に、タッチ位置検出機構２０の消費電力を低減することができる。
次に、主制御部３０によって実行される省電力制御の詳細について、図５および図６のフローチャートに基づいて説明する。
【００７２】
主制御部３０は、電源がオン状態になること等によって省電力制御を開始する。この場合、主制御部３０は、表示パネル本体１１の表示面１１ａに、表示すべき入力操作画面の表示を指示する前に、まず、その入力操作画面の画面データに付加されている入力操作画面に関する情報を取得する（ステップＳ１１）。
この情報には、表示すべき入力操作画面の画面種類、具体的にはその画面がタッチ操作画面とスライド操作画面のいずれであるかを示す情報が含まれている。
【００７３】
次いで、表示面１１ａに表示すべき入力操作画面がタッチ操作画面とスライド操作画面のいずれであるかを判定する（ステップＳ１２）。この判定は、上記の画面種類の情報を参照することにより行われる。
スライド操作画面であることが判定されると（ステップＳ１２において「Ｎｏ」）、スライド操作省電力処理を実行するためにステップＳ１３に進む。ステップＳ１３以降のスライド操作省電力処理については後述する。
【００７４】
一方、タッチ操作画面であることが判定されると（ステップＳ１２において「Ｙｅｓ」）、ステップＳ１４以降のタッチ操作省電力処理を実行する。
＜タッチ操作省電力処理＞
タッチ操作省電力処理には、標準省電力モードを実行する処理（ステップＳ１４〜Ｓ１９、Ｓ２１）と、省電力優先モードを実行する処理（ステップＳ２２、Ｓ３４、Ｓ３６）が含まれている。以下、この順に処理内容を説明する。
【００７５】
＜標準省電力モード＞
ステップＳ１４では、表示が指示されたタッチ操作画面のボタン画像に関する情報（以下、「ボタン画像情報」という。）を取得する。ボタン画像情報には、表示面１１ａに表示されるべきボタン画像の輪郭を指標するＸ座標およびＹ座標（輪郭座標）と、ボタン画像毎に設定された設定入力情報が含まれる。
【００７６】
ここで、設定入力情報は、そのボタンがタッチ操作されたときに実行すべき機能として予め割り当てられた機能、例えばコピー開始などを示す情報である。
主制御部３０は、表示が指示されたタッチ操作画面の画像データから、その画面に含まれるボタン画像の輪郭座標を取得する。この取得は、主制御部３０に設けられた輪郭座標取得部（不図示）が実行する。
【００７７】
輪郭座標取得部は、例えば、タッチ操作画面の画像データを参照し、ボタン画像の輪郭を示す線分を構成する各画素ごとにそのＸ方向とＹ方向の座標位置を抽出することにより、輪郭座標を取得する。なお、輪郭座標の取得方法は、これに限られず、例えば表示対象のボタン画像ごとに、その輪郭座標が書き込まれたテーブルを予め作成して、作成されたテーブルから輪郭座標を取得する構成としてもよい。このテーブルは、例えば主制御部３０の記憶部に予め記憶される構成とすることができる。
【００７８】
ステップＳ１４においてボタン画像情報が取得されると、ステップＳ１５に進む。
ステップＳ１５では、取得されたボタン画像の輪郭座標に基づいて、表示面１１ａ上におけるボタン画像領域および背景画像領域を判定する領域判定処理を実行する。
この領域判定は、それぞれのボタンごとにその画像の輪郭で示される閉じられた領域をボタン画像領域と特定し、これ以外の残りの領域を背景画像領域とすることにより行われる。この意味で、主制御部３０は、ステップＳ１５を実行する場合に、ボタン画像領域と背景画像領域とを判定する領域判定手段として機能するといえる。
【００７９】
次いで、領域判定処理の結果に基づいて、背景画像におけるＸ成分領域あるいはＹ成分領域が表示面１１ａの全域にわたって存在するかを判断する（ステップＳ１６）。
具体的には、Ｘ方向に沿って並ぶそれぞれの受光素子２１ｂのＸ座標位置ごとに、そのＸ座標位置に対する、表示面１１ａ上におけるＹ座標の全域が背景画像領域に属するか、もしくはＹ座標の一部がボタン画像領域に属するかを判断する。
【００８０】
例えば、図３に示す受光素子２１ｇのＸ座標位置については、Ｙ方向のいずれの位置にもボタン画像領域が存在しないので、Ｙ座標の全域が背景画像領域に属することが判断される。一方、受光素子２１ｈのＸ座標位置については、Ｙ方向の一部の位置にボタン画像Ｂ１のボタン画像領域が存在するので、一部がボタン画像領域に属すると判断される。
Ｙ方向についても同様に、Ｙ方向に沿って並ぶそれぞれの受光素子２２ｂのＹ座標位置ごとに、そのＹ座標位置に対する、表示面１１ａ上におけるＸ座標の全域が背景画像領域に属するか、もしくはＸ座標の一部がボタン画像領域に属するかを判断する。
【００８１】
全域が背景画像領域に属すると判断されたＸ座標位置またはＹ座標位置が１つでもある場合には、背景画像におけるＸ成分領域あるいはＹ成分領域が表示面１１ａの全域にわたって存在すると判断され、１つもない場合には、存在しないことが判断される。図３と図４の例の場合、存在することが判断される。
背景画像領域におけるＸ成分領域あるいはＹ成分領域がＹ方向あるいはＸ方向の全域にわたって存在することを判断すると（ステップＳ１６において「Ｙｅｓ」）、ステップＳ１７に進む。
【００８２】
ステップＳ１７では、タッチ操作画面に複数のボタン画像が含まれる場合、その複数のボタン画像がＸ方向またはＹ方向に沿って１列に配置されているかをボタン画像情報に基づいて判断する。図３と図４に示す例の場合、１列の配置であると判断される。この意味で、主制御部３０は、ステップＳ１７を実行する場合に、各ボタン画像が１列に配置されていることを判断する配置判断手段として機能するといえる。
【００８３】
図３の例のようにボタン画像Ｂ１〜Ｂ４がＸ方向に沿って１列に配置されている場合、ボタン画像Ｂ１〜Ｂ４の表示位置は、Ｘ座標では異なるがＹ座標では同一になる。このような状態では、いずれのボタン画像Ｂ１〜Ｂ４がタッチ操作されたかを、タッチ位置のＹ座標を検出しなくてもＸ座標だけで検出することができる。
一方、図４では複数のボタン画像がＹ方向に沿って１列に配置されている。この場合、それぞれのボタン画像の表示位置は、Ｙ座標では異なるがＸ座標では同一になるので、タッチ位置のＸ座標を検出しなくてもＹ座標だけで検出することができる。つまり、複数のボタン画像が１列に配置されている場合、ボタン画像領域と背景画像領域の区別に関わらず、Ｘ座標とＹ座標の一方を非検出にしてもボタン画像のタッチ操作を検出できることになる。
【００８４】
複数のボタン画像が１列で配置されていることを判断すると（ステップＳ１７において「Ｙｅｓ」）、領域判定の結果に関わらず、複数の第１センサー２１ｘと第２センサー２２ｙのうち、複数のボタン画像の配列方向とは直交する方向に沿って配置されたセンサーの全てを非動作状態に設定する（ステップＳ１８）。
図３の例では、全ての第２センサー２２ｙが非動作状態に設定され、図４の例では、全ての第１センサー２１ｘが非動作状態に設定される。図３と図４では、非動作状態に設定されたセンサーを網点の丸印で示している。
【００８５】
上記のように第１センサー２１ｘは、それぞれが配置されたＸ座標位置において、表示面１１ａ上のＹ方向に沿った全域のタッチ操作を検出対象としている。従って、表示面１１ａにおいて、Ｙ方向の全域にわたって連続した背景画像領域が存在する場合には、その背景画像領域のＸ成分領域のタッチ操作を検出するための第１センサー２１ｘが抽出されて非動作状態に設定される。
【００８６】
同様に、第２センサー２２ｙは、それぞれが配置されたＹ座標位置において、表示面１１ａのＸ方向に沿った全域のタッチ操作を検出対象としている。従って、表示面１１ａにおいて、Ｘ方向の全域にわたって連続した背景画像領域が存在する場合には、その背景画像領域のＹ成分領域のタッチ操作を検出するための第２センサー２２ｙが抽出されて非動作状態に設定される。
【００８７】
続いて、ステップＳ１８で非動作状態に設定されたセンサー以外のセンサーのうち、背景画像領域に対応するセンサー、すなわち複数のボタン画像の配列方向に沿って配置された複数のセンサーのうち、背景画像領域のタッチ位置を検出可能なセンサーを非動作状態に設定する（ステップＳ１９）。
図３の例では、複数の第１センサー２１ｘのうち、背景画像領域に対応するセンサー（網点の丸印で示すセンサー）が非動作状態に設定され、図４の例では、複数の第２センサー２２ｙのうち、背景画像領域に対応するセンサー（網点の丸印で示すセンサー）が非動作状態に設定される。なお、非動作状態に設定されなかったセンサーは、動作状態に設定されたことになる。図３と図４では、動作状態に設定されたセンサーを、白抜きの丸印で示している。
【００８８】
続いて、省電力優先モードが選択されているかを判断する（ステップＳ２０）。省電力優先モードが選択されていないことを判断すると（ステップＳ２０において「Ｎｏ」）、ステップＳ２３に進む。
一方、複数のボタン画像が１列で配置されていないことを判断すると（ステップＳ１７において「Ｎｏ」）、複数の第１センサー２１ｘと第２センサー２２ｙのうち、背景画像領域に対応するセンサーを抽出して、抽出したセンサーだけを非動作状態に設定して（ステップＳ２１）、図６に示すステップＳ３１に進む。
【００８９】
ここで、複数のボタン画像が１列で配置されていないタッチ操作画面には、例えば図７に示すような４つのボタン画像Ｂ６〜Ｂ９を含む画面があり、Ｘ方向の座標位置が同じ位置関係にあるボタン画像Ｂ８とＢ９や、Ｙ方向の座標位置が同じ位置関係にあるボタン画像Ｂ７とＢ９を含む場合、Ｘ座標とＹ座標の一方の座標位置を検出するだけでは、いずれのボタン画像がタッチ操作されたかが判らない。
【００９０】
従って、この場合には、上記のように第１センサー２１ｘの全てまたは第２センサー２２ｙの全てを非動作状態に設定することができず、背景画像領域に対応するセンサー（網点の丸印で示すもの）だけを抽出してそのセンサーが非動作状態に設定される。非動作状態に設定されなかったセンサーは、動作状態に設定されたことになる。
そして、図６のステップＳ３１において省電力優先モードがユーザーによって選択されているかを判断し、省電力優先モードが選択されていないことを判断すると（ステップＳ３１において「Ｎｏ」）、図５のステップＳ２３に進む。
【００９１】
一方、背景画像におけるＸ成分領域あるいはＹ成分領域が表示面１１ａの全域にわたって存在しないことを判断すると（ステップＳ１６において「Ｎｏ」）、図６のステップＳ３１に進む。
ここで、背景画像におけるＸ成分領域あるいはＹ成分領域が表示面１１ａの全域にわたって存在しない場合とは、全ての第１センサー２１ｘのＸ座標位置のそれぞれにおいて、表示面１１ａのＹ方向の全域にわたって背景画像領域が存在せず、全ての第２センサー２２ｙのＹ座標位置のそれぞれにおいても、表示面１１ａのＸ方向の全域にわたって背景画像領域が存在しない場合である。この場合、非動作状態に設定できるセンサーが１つも存在しないことになり、全ての第１センサー２１ｘと第２センサー２２ｙが動作状態に設定される。
【００９２】
ステップＳ３１において、省電力優先モードがユーザーによって選択されていないことを判断すると（ステップＳ３１において「Ｎｏ」）、図５のステップＳ２３に進む。
ステップＳ２３では、表示指示されたタッチ操作画面を表示面１１ａに表示することを表示制御部１３に指示するとともに、タッチ位置検出機構２０に対して駆動開始を指示する。
【００９３】
これにより、表示パネル本体１１の表示面１１ａには、指示されたタッチ操作画面が表示される。また、タッチ位置検出機構２０では、全ての第１センサー２１ｘおよび第２センサー２２ｙのうち、動作状態に設定されたセンサーが動作状態になり、非動作状態に設定されたセンサーが非動作状態になる。この意味で、主制御部３０は、ステップＳ２３を実行する場合に、表示パネル１０に対して画像の表示を指示する表示指示手段として機能し、タッチ位置検出機構２０に対してタッチ位置の検出を実行するオン状態とタッチ位置を検出しないオフ状態にすることを指示する検出指示手段として機能するといえる。
【００９４】
非動作状態に設定された第１センサー２１ｘおよび第２センサー２２ｙについては、対応する第１発光側スイッチ２１ｃと第１受光側スイッチ２１ｄおよび第２発光側スイッチ２２ｃと第２受光側スイッチ２２ｄの全てがオフ状態に維持される。
動作状態に設定された第１センサー２１ｘおよび第２センサー２２ｙについては、対応する第１発光側スイッチ２１ｃと第１受光側スイッチ２１ｄおよび第２発光側スイッチ２２ｃと第２受光側スイッチ２２ｄが順次、オンとオフの切り替えが実行される。
【００９５】
具体的には、発光制御部２５は、動作状態に設定された第１センサー２１ｘの第１発光素子２１ａに接続された第１発光側スイッチ２１ｃを、Ｘ方向に沿って並んだ順番に、一定時間だけオン状態に制御する。この場合、オン状態に制御される第１発光側スイッチ２１ｃ以外の第１発光側スイッチ２１ｃはオフ状態に制御される。
また、発光側電流制御部２３は、第１発光側スイッチ２１ｃがオンするタイミングで第１発光側電力供給線２１ｅに所定の基準値の電流をそれぞれ供給する。なお、この場合の第１発光側電力供給線２１ｅに供給される所定の電力を「標準電力」とする。
【００９６】
これにより、オン状態の第１発光側スイッチ２１ｃに接続された第１発光素子２１ａには標準電力が供給される。標準電力が供給される第１発光素子２１ａは、一定時間だけ、所定の発光強度の光をＹ方向に沿って照射する発光状態になる。なお、この場合の第１発光素子２１ａの発光強度を「標準強度」とする。
また、受光制御部２６は、第１発光側スイッチ２１ｃがオン状態とされる第１センサー２１ｘの第１受光側スイッチ２１ｄを、当該第１発光側スイッチ２１ｃがオンされるタイミングに同期してオン状態に制御する。従って、第１受光側スイッチ２１ｄのそれぞれも、Ｘ方向に沿って並んだ順番に、一定時間だけオン状態に制御される。この場合も、オン状態に制御される第１受光側スイッチ２１ｄ以外の第１受光側スイッチ２１ｄはオフ状態に制御される。
【００９７】
第１受光側スイッチ２１ｄのそれぞれがオンすると、当該第１受光側スイッチ２１ｄに接続された第１受光素子２１ｂが一定時間だけ第１受光側電力供給線２１ｆからの供給電力を受けて動作状態となり、受光した光の強度に対応した電流を出力する。
同様に、動作状態に設定された第２センサー２２ｙについては、発光制御部２５は、その第２発光素子２２ａに接続された第２発光側スイッチ２２ｃを、Ｙ方向に沿って並んだ順番に一定時間だけオン状態に制御する。また、受光制御部２６は、第２発光側スイッチ２２ｃがオン状態とされる第２センサー２２ｙの第２受光側スイッチ２２ｄを、当該第２発光側スイッチ２２ｃがオンするタイミングに同期してオン状態に制御する。
【００９８】
これにより、第２センサー２２ｙのそれぞれは、第１センサー２１ｘと同様に制御される。上記の標準電力と標準強度についても第２センサー２２ｙについて同様である。
これにより、非動作状態に設定された第１センサー２１ｘおよび第２センサー２２ｙのそれぞれがタッチ操作の検出対象とする背景画像領域は、タッチ操作の検出が実行されない状態（オフ状態）になる。
【００９９】
従って、全ての第１センサー２１ｘおよび第２センサー２２ｙをボタン画像の表示位置に関係なく動作状態、すなわちタッチ操作の検出を行えるオン状態にする構成に比べて、動作状態とされる第１センサー２１ｘおよび第２センサー２２ｙの個数が減少し、その個数の減少分、センサーへの供給電力が低減して、タッチ位置検出機構２０の消費電力を低減することができ、タッチ位置検出機構２０の省電力化を図れる。
【０１００】
タッチ位置検出機構２０の駆動が開始されると、ユーザーのタッチ操作による表示面１１ａ上のタッチ位置が、動作状態になった第１センサー２１ｘおよび第２センサー２２ｙにより検出されるまで待機状態になる（ステップＳ２４）。
このタッチ位置の検出は、次のようにして行われる。
すなわち、動作状態の第１受光素子２１ｂおよび第２受光素子２２ｂのそれぞれから順次出力される電流値をモニターし、いずれかの第１受光素子２１ｂおよび第２受光素子２２ｂの出力電流が閾値電流よりも低下したか否かを判断する。
【０１０１】
いずれかの第１受光素子２１ｂおよび第２受光素子２２ｂの出力電流が閾値電流よりも低下したことを判断すると、出力電流が閾値電流よりも低下した第１受光素子２１ｂのＸ座標位置および第２受光素子２２ｂのＹ座標位置に基づいて、タッチ操作によるタッチ位置を表示面１１ａ上におけるＸ−Ｙ直交座標系の２成分として検出する。
タッチ位置の検出を判断すると（ステップＳ２４において「Ｙｅｓ」）、検出されたタッチ位置と、ステップＳ１４で取得されたボタン画像の輪郭座標とに基づいて、タッチ操作されたボタン画像領域に対応するボタン画像を特定し、特定されたボタン画像の設定入力情報を、ステップＳ１４で取得された全てのボタン画像の設定入力情報から選択して取得する（ステップＳ２５）。
【０１０２】
主制御部３０は、取得された設定入力情報に関する処理を画像形成本体部Ａに指示する。例えば、ボタン画像Ｂ１のボタン画像領域がタッチ操作された場合には、コピー動作などの動作モードの開始が画像形成本体部Ａに指示される。
また、ステップＳ２５では、タッチ操作されたボタン画像に対するタッチ操作の回数（総合計）をカウントする。それぞれのボタン画像ごとに、１回のタッチ操作があるたびに、現在の回数に１がインクリメントされて、その回数が更新される。このタッチ操作の回数は、後述する操作頻度基準処理（ステップＳ２２）で用いられる。
【０１０３】
ステップＳ２５での処理が終了するとステップＳ２６に進み、表示パネル１０に表示されたタッチ操作画面を、異なる入力操作画面（タッチ操作画面に限らない）に変更する必要があるかを判断する。例えば、動作モードの選択を受け付けるボタン画像Ｂ２に対するタッチ操作がなされた場合、動作モードを選択するための別のメニュー画面に遷移する必要があることから、変更の必要があると判断される。
【０１０４】
異なる入力操作画面への変更が必要であることを判断すると（ステップＳ２６において「Ｙｅｓ」）、ステップＳ１１に戻り、新たな入力操作画面について、ステップＳ１１以降の処理を実行する。一方、タッチ操作画面を他の入力操作画面に変更する必要がないことを判断すると（ステップＳ２６において「Ｎｏ」）、ステップＳ２４に戻って待機状態になる。なお、待機状態の継続時間が一定時間を超えると、当該省電力制御を終了するとしても良い。
【０１０５】
＜省電力優先モード＞
次に、省電力優先モードがユーザーによって選択されている場合について説明する。ユーザーが省電力優先モードを選択していることは、ステップＳ２０またはＳ３１において判断される。
＜ステップＳ２０による省電力優先モード＞
省電力優先モードの選択を判断すると（ステップＳ２０において「Ｙｅｓ」）、省電力優先モードとして操作頻度基準処理を実行する（ステップＳ２２）。
【０１０６】
操作頻度基準処理は、タッチ操作の頻度が少ないボタン画像の表示位置であるボタン画像領域のタッチ操作を検出対象とする第１センサー２１ｘまたは第２センサー２２ｙに供給される電力を低減する処理である。
図８は、操作頻度基準処理のサブルーチンを示すフローチャートである。
同図に示すように、まず、表示が指示されたタッチ操作画面におけるそれぞれのボタン画像（ボタン画像領域）に対するタッチ操作の頻度を取得する（ステップＳ４１）。
【０１０７】
ボタン画像に対するタッチ操作の頻度とは、全てのボタン画像（ボタン画像領域）のタッチ操作の回数の合計に対して、それぞれのボタン画像の個別のタッチ操作の回数の割合である。なお、各ボタン画像に対するタッチ操作の回数は、前述したように、ステップＳ２５においてカウントされている。従って、各ボタン画像に対するタッチ操作の回数のカウント値に基づいて、全てのボタン画像のタッチ操作の回数の合計を求めることができる。これにより、ボタン画像毎のタッチ操作の頻度を取得できる。
【０１０８】
次いで、取得されたボタン画像毎のタッチ操作の頻度を、それぞれ、予め設定された閾値と比較して、表示が指示されたタッチ操作画面における各ボタン画像を、閾値よりも高い高頻度と、閾値よりも低い低頻度とに分類する（ステップＳ４２）。
この分類がなされると、低頻度のボタン画像および高頻度のボタン画像のいずれか一方または両方が複数であるかを判断する（ステップＳ４３）。
【０１０９】
低頻度のボタン画像および高頻度のボタン画像のいずれか一方または両方が複数であることを判断すると（ステップＳ４３において「Ｙｅｓ」）、ステップＳ４４に進む。
ステップＳ４４では、低頻度に分類された全てのボタン画像と、高頻度に分類された全てのボタン画像とが所定の並び替え状態になるように、表示制御部１３に指示する。
このステップＳ４４の処理前に、既にステップＳ１７において、複数のボタン画像がＸ方向またはＹ方向に沿って１列になっていることが判断されている。このために、ステップＳ４４では、低頻度のボタン画像の全てと、高頻度のボタン画像の全てとが、ステップＳ１７において判断された配列方向に沿って相互に分離した状態になるように、ボタン画像の表示位置が並び替える指示が行われる。
【０１１０】
この指示により、表示面１１ａでは、低頻度のボタン画像の全てと高頻度のボタン画像の全てとが、配列方向に沿って分離した状態で表示される表示位置変更が実行される。
図９（ａ）は、ボタン画像の並び替え前の状態の例を示す図であり、図９（ｂ）は、ボタン画像の並び替え後の状態（変更状態）の例を示す図である。
図９では、ボタン画像Ｂ１、Ｂ３、Ｂ５が高頻度のボタン画像に分類され、ボタン画像Ｂ２、Ｂ４が低頻度のボタン画像に分類され、ボタン画像Ｂ１、Ｂ３、Ｂ５が表示面１１ａにおけるＸ方向の右側において相互に隣接した状態に並び替えられ、ボタン画像Ｂ２、Ｂ４が表示面１１ａにおけるＸ方向の左側において相互に隣接した状態に並び替えられた場合の例を示している。
【０１１１】
図８に戻って、ステップＳ４５では、発光制御部２５および受光制御部２６に対して、低頻度のボタン画像に対応するボタン画像領域のタッチ操作を検出対象とする第１センサー２１ｘ（以下、「低頻度領域第１センサー２１ｘ」という。）または第２センサー２２ｙ（以下、「低頻度領域第２センサー２２ｙ」という。）のそれぞれを順番に動作状態とする時間だけを短くすることを指示する。
【０１１２】
この場合、高頻度のボタン画像領域のタッチ操作を検出対象とする第１センサー２１ｘ（以下、「高頻度領域第１センサー２１ｘ」という。）または第２センサー２２ｙ（以下、「高頻度領域第２センサー２２ｙ」という。）のそれぞれを順番に動作状態とする時間は短くされず、標準時間になっている。
ステップＳ４５の処理が終了すると、ステップＳ４７に進む。
【０１１３】
ステップＳ４７では、低頻度領域第１センサー２１ｘの第１発光素子２１ａまたは低頻度領域第２センサー２２ｙの第２発光素子２２ａに対して、標準電力の電流値よりも低い電流の所定の電力（以下、「駆動低電力」という。）を供給することを発光制御部２５に指示する。そして、タッチ位置検出機構２０に駆動開始を指示して（ステップＳ４８）、図５のステップＳ２４に進む。これにより、発光制御部２５および受光制御部２６は、タッチ位置検出機構２０を、主制御部３０による指示（ステップＳ４５、Ｓ４７）になるように制御して、タッチ操作の検出を実行する。
【０１１４】
例えば、第２センサー２２ｙの全てが非動作状態に設定されている場合には、ステップＳ４５において、低頻度領域第１センサー２１ｘの動作時間を、高頻度領域第１センサー２１ｘの動作時間（標準時間）よりも短くすることが指示される。これにより、発光制御部２５は、低頻度領域第１センサー２１ｘにおける第１発光側スイッチ２１ｃのオン時間を標準時間よりも短くなるように制御する。その結果、全ての低頻度領域第１センサー２１ｘの第１発光素子２１ａが発光状態になる時間の合計は、操作頻度基準処理を実行しない場合よりも短くなる。
【０１１５】
一方、第１センサー２１ｘの全てが非動作状態に設定されている場合には、ステップＳ４５において、低頻度領域第２センサー２２ｙの動作時間を標準時間よりも短くすることが指示される。これにより、発光制御部２５は、低頻度領域第２センサー２２ｙにおける第２発光側スイッチ２２ｃのオン時間が、標準時間よりも短くなるように制御する。その結果、全ての低頻度領域第２センサー２２ｙの第２発光素子２２ａが発光状態になる時間の合計は、操作頻度基準処理を実行しない場合よりも短くなる。
【０１１６】
いずれの場合にも、タッチ位置検出機構２０の消費電力が、操作頻度基準処理を実行しない場合よりも低減される。
上記のように動作状態に設定された第１センサー２１ｘまたは第２センサー２２ｙのそれぞれは、順番に一つずつだけが動作状態、すなわちタッチ位置検出のための電力が供給される状態に切り替わっていく。従って、１つのセンサーに対する動作状態の時間を短くするということは、単位時間当たりにおけるそのセンサーによる検出時間が標準時間よりも短くなる。
【０１１７】
検出時間を短くするほど消費電力を低減できるが、短くしすぎると、例えばユーザーによる指のタッチ操作が一瞬であった場合、その一瞬のタッチ操作を検出できなくなることが起こり易くなる。
一方で、動作状態の時間を標準時間よりも短くするのは、ユーザーがタッチ操作する機会が少ないボタン画像領域を検出対象とする低頻度領域第１センサー２１ｘまたは低頻度領域第２センサー２２ｙだけであり、かつ一瞬のタッチ操作が行われることも少ないと考えられるので、タッチ操作の検出精度の低下が生じる蓋然性は低くなる。
【０１１８】
このように各センサーに対する動作状態の時間を操作頻度に応じて標準時間よりも短くする制御をとる場合、動作状態の時間を固定する場合に比べてタッチ操作の検出精度の低下が生じる場合が想定されるが、ユーザーが省電力優先モードを選択していることから、タッチ位置検出機構２０における消費電力の低減を優先するようにしている。
さらに、ステップＳ４７においては、低頻度領域第１センサー２１ｘの第１発光素子２１ａまたは低頻度領域第２センサー２２ｙの第２発光素子２２ａに対して駆動低電力の供給が指示されている。このために、発光制御部２５は、発光側電流制御部２３を制御して、低頻度領域第１センサー２１ｘの第１発光素子２１ａまたは低頻度領域第２センサー２２ｙの第２発光素子２２ａに駆動低電力を供給する。
【０１１９】
例えば、図９（ｂ）に示すように全ての第２センサー２２ｙが非動作状態に設定されている場合には、低頻度領域第１センサー２１ｘの第１発光素子２１ａに接続された第１発光側スイッチ２１ｃがオンするタイミングで、第１発光側電力供給線２１ｅに駆動低電力が供給される。これにより、オン状態の第１発光側スイッチ２１ｃに接続された低頻度領域第１センサー２１ｘの第１発光素子２１ａには、駆動低電力が供給される。その結果、当該第１発光素子２１ａは、発光強度が標準強度よりも低下した低発光強度の光を照射する。
【０１２０】
なお、高頻度領域第１センサー２１ｘの第１発光素子２１ａが動作状態とされる場合には、当該第１発光素子２１ａに対して標準電力が供給される。従って、高頻度領域第１センサー２１ｘの第１発光素子２１ａは標準強度の光を照射する。
図９（ｂ）では、複数の第１発光素子２１ａのうち、一部の第１発光素子２１ａから標準強度の光（太線）が照射されている様子と、別の第１発光素子２１ａから低発光強度の光（細線）が照射されている様子が示されている。
【０１２１】
一方、全ての第１センサー２１ｘが非動作状態に設定されている場合には、低頻度領域第２センサー２２ｙの第２発光素子２２ａに接続された第２発光側スイッチ２２ｃがオンするタイミングで、第２発光側電力供給線２２ｅに駆動低電力が供給される。これにより、オン状態の第２発光側スイッチ２２ｃに接続された低頻度領域第２センサー２２ｙの第２発光素子２２ａには駆動低電力が供給される。その結果、当該第２発光素子２２ａは、低発光強度の光を照射する。
【０１２２】
なお、高頻度領域第２センサー２２ｙの第２発光素子２２ａが動作状態とされる場合には、当該第２発光素子２２ａに対して標準電力が供給される。従って、高頻度領域第２センサー２２ｙの第２発光素子２２ａは標準強度の光を照射する。
いずれの場合にも、低頻度領域第１センサー２１ｘの第１発光素子２１ａまたは低頻度領域第２センサー２２ｘの第２発光素子２２ａへの供給電力が低減されるので、頻度に関係なく供給電力を標準電力のまま固定する構成に比べて、タッチ位置検出機構２０の消費電力を低減できる。
【０１２３】
第１受光素子２１ｂと第２受光素子２２ｂのそれぞれについて、操作者のタッチ操作を検出可能な受光量の許容範囲のうち、基準となる受光量に相当する光を、対応する発光素子から発するのに必要な電流の電力が上記の標準電力として設定され、受光量の許容範囲のうち、標準電力の場合よりも少ない量の光を発光素子から発するのに必要な電流の電力が上記の駆動低電力として設定されている。
【０１２４】
標準電力と駆動低電力は、タッチ位置の検出が可能な発光素子への供給電力の許容範囲内において、駆動低電力が標準電力よりも低くなるように予め決められており、駆動低電力の方が標準電力よりも消費電力を低減できるが、駆動低電力では、標準電力よりも発光素子への供給電流が低下するので、その分、発光素子からの発光量が低減する。
発光素子からの発光量が低減すると、それだけ受光素子の受光量が少なくなるので、受光素子の出力電流が標準電力の場合よりも下がり、閾値電流との差が標準電力の場合よりも小さくなることが生じる。
【０１２５】
消費電力をより低減すべく、駆動低電力を標準電力に対して小さくしすぎると、例えばボタン画像領域上を通過する光の一部だけがユーザーの指により誤って遮光されただけでも、受光素子の出力電流が閾値電流を下回ってしまい、タッチ操作したものと検出してしまうことが起こり易くなる。
しかし、駆動低電力の供給は、ユーザーがタッチ操作する機会が少ないボタン画像領域を検出対象とする低頻度領域第１センサー２１ｘまたは低頻度領域第２センサー２２ｙだけであり、かつ当該ボタン画像領域上を通過する光を誤って指で遮光する操作を行うことも少ないと考えられるので、タッチ操作の検出精度の低下が生じる蓋然性は低くなる。
【０１２６】
また、低頻度と高頻度のボタン画像の少なくとも一方が複数ある場合には、低頻度のボタン画像は、高頻度のボタン画像と分離した状態で表示される。高頻度のボタン画像は、タッチ操作のためにユーザーが接近する機会が多くなるのに対して、低頻度のボタン画像は接近する機会が少なくなる。このことによっても、さらに低頻度のボタン画像のタッチ操作の検出精度が低下する蓋然性が低くなるといえる。
【０１２７】
このように各センサーに対する供給電力を操作頻度に応じて標準電力と駆動低電力に切り替える制御をとる場合、標準電力のまま固定する場合に比べてタッチ操作の検出精度の低下が生じる場合が想定されるが、ユーザーが省電力優先モードを選択していることから、タッチ位置検出機構２０における消費電力の低減を優先するようにしている。
なお、上記の駆動状態の時間を標準時間に対してどれだけよりも短くするか、および駆動低電力を標準電力に対してどれだけ低くするかについては、消費電力と検出精度を考慮して予め実験などから適した時間や電流値などを決めることができる。
【０１２８】
次に、低頻度のボタン画像領域および高頻度のボタン画像領域の両方が複数でない場合（ステップＳ４３において「Ｎｏ」）について説明する。この場合には、ステップＳ４６に進む。ステップＳ４６では、ボタン画像の表示位置を並び替えることなく、表示パネル本体１１の表示面１１ａに表示することを表示制御部１３に指示する。これにより、表示面１１ａには、ボタン画像が並び替えられていない状態のタッチ操作画面（指示されたタッチ操作画面）が表示される。
【０１２９】
その後、ステップＳ４７に進む。従って、この場合には、低頻度領域第１センサー２１ｘのそれぞれ、低頻度領域第２センサー２２ｙのそれぞれが動作状態になる時間を短くするステップＳ４５の処理は実行されない。
ステップＳ４７では、低頻度領域第１センサー２１ｘの第１発光素子２１ａまたは低頻度領域第２センサー２２ｙの第２発光素子２２ａに、駆動低電力を供給することを発光制御部２５に指示する。
【０１３０】
その後、タッチ位置検出機構２０に駆動開始を指示して（ステップＳ４８）、図５のステップＳ２４に進む。これにより、発光制御部２５および受光制御部２６は、タッチ位置検出機構２０を、主制御部３０によって指示された状態になるように制御して、タッチ位置検出機構２０によるタッチ操作の検出を実行する。
この場合には、低頻度領域第１センサー２１ｘの第１発光素子２１ａまたは低頻度領域第２センサー２２ｙの第２発光素子２２ａに対しては駆動低電力が供給される。これにより、駆動低電力が供給された第１発光素子２１ａまたは第２発光素子２２ａからは、標準強度よりも低い低強度の光が照射される。従って、タッチ位置検出機構２０の消費電力は、標準強度に固定する場合よりも低減される。
【０１３１】
なお、上記の説明では、低頻度のボタン画像におけるタッチ操作を検出する全ての第１センサー２１ｘの第１発光素子２１ａに駆動低電力を供給する構成として、タッチ位置検出機構２０における消費電力を低減している。しかし、この構成に限らない。
例えば、低頻度の１つのボタン画像（ボタン画像領域）を検出対象とする複数の第１センサー２１ｘから選択される１以上の第１センサー２１ｘを非動作状態とし、選択されない第１センサー２１ｘの第１発光素子２１ａを動作状態にする構成としてもよい。動作状態にする第１センサー２１ｘの第１発光素子２１ａには、標準電力、駆動低電力のいずれを供給してもよい。
【０１３２】
この場合、非動作状態にされる第１センサー２１ｘのＸ方向に連続する個数が多くなると、タッチ操作を検出できない領域がＸ方向に広くなるので、ユーザーの指の大きさと、隣り合う２つの第１センサー２１ｘのＸ方向の間隔の大きさなどから、連続する個数をタッチ操作が可能な範囲内になるように予め決めることができる。また、非動作状態になる第１センサー２１ｘを挟んでＸ方向両側に位置する２つの第１センサー２１ｘがそれぞれ動作状態になるように、動作状態と非動作状態を決めることもできる。上記のことは、第２センサー２２ｙについても同様である。
【０１３３】
また、操作頻度基準処理では全ての低頻度のボタン画像と全ての高頻度のボタン画像とが相互に分離するように、ボタン画像の並び替えを行っている。しかし、このような並び替えを行わない構成としてもよい。
この場合には、図８のステップＳ４２の処理が終了すると、ステップＳ４３〜Ｓ４５の処理を実行せずに、ステップＳ４６の処理が実行される。これにより、ボタン画像は並び替えられることがない。その後、ステップＳ４７の処理が実行されることにより、低頻度領域第１センサー２１ｘの第１発光素子２１ａには駆動低電力が供給される。従って、タッチ位置検出機構２０における消費電力は、操作頻度基準処理が実行されない場合よりも低減される。
【０１３４】
さらに、ボタン画像を並び替えずに（ステップＳ４４をスキップして）、低頻度領域第１センサー２１ｘ、低頻度領域第２センサー２２ｙの動作状態になる時間を短くする処理（ステップＳ４５）を実行する構成をとることも可能である。
また、操作頻度基準処理（ステップＳ２２）では、ステップＳ４４とＳ４７のいずれか一方だけを実行する構成をとることもできる。
【０１３５】
さらに、低頻度と高頻度のボタン画像の数に関わりなく、かつボタン画像の並び替えの表示も指示することなく（ステップ４３、Ｓ４４をスキップして）、ステップＳ４５とＳ４７を実行する、またはステップ４５とＳ４７の一方だけを実行する構成としても良い。
また、検出時間の短縮（ステップＳ４５）と供給電力の低減（ステップＳ４７）に代えて、例えば１つの低頻度のボタン画像領域を検出対象とするセンサーが複数ある場合に、その複数のセンサーの中に、電力供給されないセンサーが一部に含まれるように制御する方法（センサーを間引く方法）も考えられる。
【０１３６】
＜ステップＳ３１による省電力優先モード＞
省電力優先モードの選択が判断されると（ステップＳ３１において「Ｙｅｓ」）、ステップＳ３２〜Ｓ３６による表示変更処理を省電力優先モードとして実行する。
まず、表示が指示されたタッチ操作画面の複数のボタン画像がＸ方向またはＹ方向に沿った複数の列を構成するかを判断する（ステップＳ３２）。
【０１３７】
複数のボタン画像が複数列を構成するとは、Ｘ方向に沿って並ぶ列またはＹ方向に沿って並ぶ列が２列以上存在するように複数のボタン画像が並べられる構成をいう。例えば、図１０（ａ）に示すボタン画像Ｂ１１〜Ｂ１７は、Ｙ方向に沿った列が２列になるように並べられて配置される構成になっている。以下、複数のボタン画像が複数列を構成するタッチ操作画面を「複数列領域画像」という。
【０１３８】
タッチ操作画面が複数列領域画像でないことを判断すると（ステップＳ３２において「Ｎｏ」）、ステップＳ３５に進み、集中表示処理が実行できるかを判断する。ステップＳ３５以降の処理については後述する。
タッチ操作画面が複数列領域画像であることを判断すると（ステップＳ３２において「Ｙｅｓ」）、ステップＳ３３に進む。ステップＳ３３では、複数列領域画像における複数列のボタン画像を１列に並び替えた画像（以下、「単列領域画像」という。）の画像データが記憶部に予め記憶されているかを判断する。単列領域画像とは、例えば図１０（ｂ）に示すボタン画像Ｂ１１〜Ｂ１７のように複数のボタンがＸ方向またはＹ方向に沿って１列に配列された画像をいう。
【０１３９】
単列領域画像の画像データが記憶されていないことを判断すると（ステップＳ３３において「Ｎｏ」）、ステップＳ３４における単列領域表示処理を実行することなく、図５のステップＳ２３に進む。この場合には、上記のように省電力優先モードが選択されていない場合（ステップＳ３１において「Ｎｏ」）と同様の処理が実行される。
一方、単列領域画像の画像データが記憶されていることを判断すると（ステップＳ３３において「Ｙｅｓ」）、単列領域表示処理の実行が可能であると判断し、ステップＳ３４に進んで、単列領域表示処理を実行する。
【０１４０】
＜単列領域表示処理＞
単列領域表示処理が実行されるのは、上記のステップＳ１６で「Ｎｏ」の場合、またはステップＳ１７で「Ｎｏ」の場合を条件としており、このことは、第１センサー２１ｘの全て、または、第２センサー２２ｙの全てが非動作状態に設定されていない状態（例えば、図７の状態）であることを意味する。
【０１４１】
このために、タッチ位置の検出を実行する際におけるタッチ位置検出機構２０の消費電力は、第１センサー２１ｘの全て、または、第２センサー２２ｙの全てが非動作状態に設定されている状態（例えば、図３、図４の状態）よりも多くなっている。
しかし、複数列領域画像を単列領域画像に変更すると、複数のボタン画像のそれぞれのタッチ操作を、ボタン画像の配列方向に沿って配置された第１センサー２１ｘまたは第２センサー２２ｙだけで検出することができる。従って、ボタン画像のタッチ操作に直接的に関与しない第２センサー２２ｙまたは第１センサー２１ｘの全てを非動作状態に設定することができる。
【０１４２】
これにより、タッチ位置の検出をオフ状態にできる背景画像領域の面積が増加して、背景画像領域のタッチ操作を検出対象とする第１センサー２１ｘおよび第２センサー２２ｙの個数の合計を増加させることができる場合があり得る。この場合、ボタン画像（ボタン画像領域）のタッチ操作を検出対象とする第１センサー２１ｘおよび第２センサー２２ｙの個数の合計が、複数列領域画像の場合よりも減少することになり、タッチ操作の検出を実行する際におけるタッチ位置検出機構２０の消費電力を低減することができる。
【０１４３】
すなわち、予め決められている表示態様である複数列領域画像をこれとは異なる所定の表示態様である単列領域画像に変更すると仮定した場合に、動作状態に設定される第１センサー２１ｘおよび第２センサー２２ｙの総数を減少することができれば、タッチ位置検出機構２０の消費電力の低減を実現できることになる。
従って、本実施の形態では、記憶部に記憶される全ての複数列領域画像のうち、単列領域画像に変更すると仮定した場合に、動作状態に設定される第１センサー２１ｘおよび第２センサー２２ｙの総数を減少できる複数列領域画像を予め決め、決められた複数列領域画像とこれに対応する単列領域画像とを主制御部３０の記憶部に記憶しておき、表示指示された複数列領域画像に対応する単列領域画像が存在する場合に（ステップＳ３３において「Ｙｅｓ」）、単列領域表示処理（ステップＳ３４）を実行するとしている。
【０１４４】
この意味で、主制御部３０は、ステップＳ３３の処理を実行する際に、タッチ位置の検出をオフ状態にできるＸ成分領域とＹ成分領域の面積が増加するかを判定する領域増加判定手段として機能するといえる。
図１０（ａ）は、単列領域表示処理が実行可能と判定される複数列領域画像が表示パネル本体１１の表示面１１ａに表示された状態を示す模式図である。この複数列領域画像は、例えば、図９（ａ）に示すタッチ操作画面が表示面１１ａに表示された場合に、用紙サイズを設定するための選択ボタンであるボタン画像Ｂ４がタッチ操作されることにより、タッチ操作画面上にレイヤー表示される。
【０１４５】
表示面１１ａに表示された複数列領域画像では、用紙サイズに関する情報に対応した７つのボタン画像Ｂ１１〜Ｂ１７のうち、Ｙ方向に沿ったボタン画像Ｂ１１〜Ｂ１４の列とＹ方向に沿ったボタン画像Ｂ１５〜Ｂ１７の列が２列で並列表示されている。それぞれのボタン画像Ｂ１１〜Ｂ１７は同じ形状および大きさになっており、Ｘ方向に沿って長い長方形状になっている。なお、表示面１１ａにおいて７つのボタン画像Ｂ１１〜Ｂ１７がそれぞれ表示された領域がボタン画像領域になっている。
【０１４６】
左側のボタン画像の列には、表示面１１ａにおけるＹ方向の上側から下側にかけてボタン画像Ｂ１１〜Ｂ１４の４つが相互に接した状態で表示されている。また、右側のボタン画像の列には、表示面１１ａにおけるＹ方向の上側から下側にかけてボタン画像Ｂ１５〜Ｂ１７の３つが相互に接した状態で表示されている。
左側の列におけるＹ方向の最も上側に表示されたボタン画像Ｂ１１には、プリントアウトする用紙サイズを画像データに基づいて自動的に選択することを画像形成本体部Ａに指示する機能が設定されている。
【０１４７】
ボタン画像Ｂ１１の下側のボタン画像Ｂ１２、ボタン画像Ｂ１３、ボタン画像Ｂ１４には、それぞれ所定サイズの用紙の選択を画像形成本体部Ａに指示する機能がそれぞれ設定されている。
右側の列におけるボタン画像Ｂ１５〜Ｂ１７のそれぞれにも、所定サイズの用紙の選択を画像形成本体部Ａに指示する機能がそれぞれ設定されている。
【０１４８】
このような複数列領域画像の表示が指示されると、ステップＳ１４〜Ｓ１７、Ｓ２１の処理が実行されることにより、ボタン画像Ｂ１１〜Ｂ１７のボタン画像領域のタッチ操作を検出対象とする第１センサー２１ｘと第２センサー２２ｙ（図１０（ａ）の白抜きの丸印）が動作状態に設定される。
このような複数列領域画像における全てのボタン画像Ｂ１１〜Ｂ１７を、Ｙ方向に沿って１列に並び替えた単列領域画像（変更画像）が表示パネル本体１１の表示面１１ａに表示された状態を図１０（ｂ）に示す。
【０１４９】
図１０（ｂ）に示す単列領域画像では、全てのボタン画像Ｂ１１〜Ｂ１７が、その順番で、Ｙ方向に沿って１列に配置されるように並び替えられて表示される。
このような単列領域画像の場合、ボタン画像Ｂ１１〜Ｂ１７のそれぞれのボタン画像領域のタッチ操作を、Ｘ方向に沿って並んだ第１センサー２１ｘに関係なく、Ｙ方向に沿った第２センサー２２ｙによって検出できる。
【０１５０】
このために、図１０（ｂ）に模式的に示すように、ボタン画像Ｂ１１〜Ｂ１７のボタン画像領域のタッチ操作を検出対象とする第２センサー２２ｙ（図１０（ｂ）の白抜きの丸印）だけを動作状態に設定すればよい。
従って、Ｘ方向に沿って並んだ第１センサー２１ｘの全てが非動作状態に設定され、Ｙ方向に沿って並んだ第２センサー２２ｙは、ボタン画像Ｂ１１〜Ｂ１７のそれぞれを検出対象とするセンサーだけが動作状態に設定される。これにより、非動作状態となる第１センサー２１ｘおよび第２センサー２２ｙの総数は、図１０（ａ）に示す複数列領域画像の場合よりも増加し、動作状態となる第１センサー２１ｘおよび第２センサー２２ｙの総数は減少する。
【０１５１】
図１０（ａ）に例示する複数列領域画像だけでなく、図示しない他の複数列領域画像についても、単列領域画像に変更した場合に動作状態になる第１センサー２１ｘおよび第２センサー２２ｙの総数が減少するものについては、上記のようにその複数列領域画像に対応する単列領域画像の画像データが予め主制御部３０に記憶されている。
従って、１以上の複数列領域画像のうち、表示されるべき複数列領域画像が指示された場合に、その指示された複数列領域画像に対応する単列領域画像の画像データを読み出すことにより、読み出した単列領域画像の画像データに基づき、複数列領域画像を変更した単列領域画像を表示パネル本体１１の表示面１１ａに表示することができる。
【０１５２】
このように、表示が指示された複数列領域画像に対応した単列領域画像が主制御部３０の記憶部に記憶されている場合には、図６のステップＳ３３において「Ｙｅｓ」となり、ステップＳ３４の単列領域表示処理が実行される。
図１１は、単列領域表示処理のサブルーチンを示すフローチャートである。単列領域表示処理では、複数列領域画像に替えて、主制御部３０の記憶部に記憶された単列領域画像を表示面１１ａに表示することを表示制御部１３に指示する（ステップＳ５１）。
【０１５３】
次いで、表示面１１ａに表示された単列領域画像における各ボタン画像の配列方向とは直交する方向に並ぶ第１センサー２１ｘまたは第２センサー２２ｙの全てを非動作状態にすることを、発光制御部２５および受光制御部２６に指示する（ステップＳ５２）。図１０（ｂ）の例では、全ての第１センサー２１ｘが非動作状態に設定される。
さらに、非動作状態の設定が指示されなかった第１センサー２１ｘまたは第２センサー２２ｙのうち、ボタン画像（ボタン画像領域）をタッチ操作の検出対象としないセンサーと検出対象とするセンサーを抽出する（ステップＳ５３）。図１０（ｂ）の例では、全ての第２センサー２２ｙのうち、網点の丸印で示す第２センサー２２ｙが検出対象としないセンサーとして抽出され、白抜きの丸印で示す第２センサー２２ｙが検出対象とするセンサーとして抽出される。
【０１５４】
検出対象としないセンサーとして抽出された第１センサー２１ｘまたは第２センサー２２ｙを非動作状態に、検出対象とするセンサーとして抽出された第１センサー２１ｘまたは第２センサー２２ｙを動作状態にすることを、発光制御部２５および受光制御部２６に指示する（ステップＳ５４）。
その後、タッチ位置検出機構２０に対して駆動開始を指示する（ステップＳ５５）。これにより、発光制御部２５および受光制御部２６は、タッチ位置検出機構２０を、主制御部３０によって指示された状態になるように制御して、タッチ位置検出機構２０によるタッチ操作の検出を実行する。
【０１５５】
この場合には、発光制御部２５および受光制御部２６は、非動作状態が指示された第１センサー２１ｘまたは第２センサー２２ｙの全てを非動作状態に制御する。従って、タッチ位置検出機構２０の消費電力は、単列領域画像に変更される前の複数列領域画像が表示面１１ａに表示される場合よりも低減される。
その後、図５のステップＳ２４に進み、タッチ操作画面におけるいずれかのボタン画像がタッチ操作されるまで待機状態になる。ステップＳ２４以降の処理は前述した通りである。
【０１５６】
なお、複数列領域画像を単列領域画像に変更すると、図１０（ｂ）に示すように単列領域画像の一部が元々表示されていたボタン画像Ｂ２、Ｂ３の上に重なるようになるため、ユーザーによっては画面が見にくくなると感じる場合も生じ得る。しかし、ユーザーが省電力優先モードを選択していることから、タッチ位置検出機構２０における消費電力の低減が優先されるようにしている。
【０１５７】
また、上記の単列領域表示処理では、ボタン画像Ｂ１１〜Ｂ１７をＹ方向に沿った１列に並び替えるとしたが、これに限られない。ボタンの数、形状、大きさによっては、例えばＸ方向に沿った１列に並び替えるとしても良い。いずれの方向に並び替えるかは予め決められる。
さらに、複数のボタン画像がＸ方向またはＹ方向に沿って２列に並んだ複数列領域画像について説明したが、単列領域表示処理の実行は、このような場合に限らない。例えば、ボタン画像がＸ方向またはＹ方向に沿って３列以上に並ぶ複数列領域画像に対しても、単列領域表示処理を実行する構成としてもよい。
【０１５８】
また、複数のボタン画像が列状に並ぶ場合に限られず、例えば相互に間隔をおいて散在する構成でも、それらを１列に並べることにより、並べる前よりも、動作状態となる第１センサー２１ｘおよび第２センサー２２ｙの総数を減少できるのであれば、上記同様に単列領域表示処理を実行する構成をとることもできる。
＜集中表示処理＞
次に、図６に示すステップＳ３２において、タッチ操作画面が複数列領域画像でない場合（ステップＳ３２において「Ｎｏ」）におけるステップＳ３５以降の処理について説明する。ステップＳ３５以降の処理では、集中表示処理によりタッチ位置検出機構２０における消費電力の低減が可能であるかを判断し（ステップＳ３５）、集中表示処理が可能と判断されると、集中表示処理が実行される（ステップＳ３６）。
【０１５９】
ここで、集中表示とは、表示が指示された全てのボタン画像を、表示面１１ａにおける任意の１個所に集中的に表示することである（図１２（ｂ）参照）。このような集中表示により、隣接するボタン画像同士は、相互に接した状態、あるいは、比較的小さな間隙が形成された状態とされる。
ステップＳ３５では、表示が指示されたタッチ操作画面がボタン画像の集中表示が可能であるかを判断する。本実施の形態では、複数個のボタン画像が相互に間隔をあけて表示される１つのタッチ操作画面ごとに、予め集中表示可能な否かが決められており、その決められた可否の結果に基づき、集中表示の可否が判断される。
【０１６０】
集中表示可能か否かの決定は、次のようにして行われる。
すなわち、図１２（ａ）に示すようにタッチ操作画面には、複数個のボタン画像Ｂｉが表示面１１ａの全面にわたって分散状態で表示される画面が存在する。
このようなタッチ操作画面では、表示面１１ａにおいてＸ方向またはＹ方向の全域にわたって背景画像領域が存在しない場合が多く、各ボタン画像のボタン画像領域のタッチ操作を検出対象とする第１センサー２１ｘおよび第２センサー２２ｙの個数が多くなる。つまり、非動作状態に設定できる第１センサー２１ｘおよび第２センサー２２ｙの個数が少なくなる。
【０１６１】
図１２（ａ）に示すタッチ操作画面の場合、１０個のボタン画像Ｂｉのそれぞれのボタン画像領域のタッチ操作を検出するには、第１センサー２１ｘおよび第２センサー２２ｙの全てを動作状態に設定する必要が生じる。
タッチ位置検出機構２０の消費電力を低減すべく、非動作状態に設定できる第１センサー２１ｘおよび第２センサー２２ｙの個数をより多くするには、表示面１１ａにおいてＸ方向またはＹ方向の全域にわたって背景画像領域が存在する部分、すなわちタッチ位置の検出をオフ状態にできる背景画像領域の面積ができるだけ増加するようにすれば良い。
【０１６２】
このようにする方法の一つとして、分散する複数個のボタン画像を表示面１１ａにおける任意の１点の周囲に集中して表示させる集中表示を実行する構成がとられている。
図１２（ｂ）は、図１２（ａ）に示されたタッチ操作画面における全てのボタン画像Ｂｉを、表示面１１ａ上における１個所（表示中心点）Ｐａを中心として集中表示した画像（変更画像）を示している。
【０１６３】
ここで、各ボタン画像Ｂｉは、全てが同一の形状および大きさであり、各ボタン画像Ｂｉのそれぞれの表示位置が表示面１１ａにおけるボタン画像領域になっている。
ボタン画像のＸ方向に沿った長さは、それぞれ、表示面１１ａにおけるＸ方向に沿った長さの１／５であり、Ｙ方向に沿った長さも、それぞれ、表示面１１ａにおけるＹ方向に沿った長さの１／５になっている。
【０１６４】
また、表示中心点Ｐａは、表示面１１ａの左端からＸ方向に表示面１１ａのＸ方向長さの１／５の長さの位置、かつ、表示面１１ａの上端からＹ方向に表示面１１ａのＹ方向長さの半分の長さの位置になっている。
集中表示は、これを行う前の図１２（ａ）に示すタッチ操作画面における複数のボタン画像Ｂｉのうち、Ｘ方向の左側への移動可能なボタン画像Ｂｉの表示位置が、可能な限りＸ方向の左側へ移動することにより行われる。
【０１６５】
これにより、図１２（ｂ）のタッチ操作画面に示すように、全てのボタン画像Ｂｉが表示中心点Ｐａの周囲に集中表示されて、表示面１１ａにおける左側の２／５の大きさの領域内に位置するようになる。
各ボタン画像Ｂｉが集中表示された図１２（ｂ）のタッチ操作画面において、各ボタン画像ＢｉのＸ座標位置を検出するためには、表示面１１ａの左側の辺からＸ方向の全長の２／５の長さの範囲内に位置する第１センサー２１ｘ（白抜きの丸印）だけが動作状態であればよい。
【０１６６】
つまり、各ボタン画像Ｂｉが集中表示されている領域に対して右側に確保された大きな面積の背景画像領域１１ｚに対応する複数個の第１センサー２１ｘ（網点の丸印）を非動作状態に設定できる。
従って、図１２（ａ）に示すタッチ操作画面における全てのボタン画像Ｂｉ（予め決められている表示態様）を、図１２（ｂ）に示すように表示中心点Ｐａの周囲に集中表示すれば（異なる所定の表示態様に変更すれば）、背景画像領域のタッチ操作を検出対象とする第１センサー２１ｘおよび第２センサー２２ｙの個数を増加することができる。これにより、ボタン画像Ｂｉを検出対象とする第１センサー２１ｘおよび第２センサー２２ｙの個数が減少する。
【０１６７】
複数のタッチ操作画面ごとに、それぞれ集中表示を行った場合に動作状態になる第１センサー２１ｘおよび第２センサー２２ｙの総数が減少するタッチ操作画面については集中表示が可能、そうでないタッチ操作画面については集中表示が不可と予め決められる。この決定結果は、主制御部３０に記憶される。この意味で、主制御部３０は、ステップＳ３５の処理を実行する際に、上記同様の領域増加判定手段として機能するといえる。
【０１６８】
図１２では、表示面１１ａ上において表示中心点Ｐａを表示面１１ａの中心位置よりもＸ方向左寄りに位置する場合の例を示したが、これに限られず、例えば表示面１１ａの中心位置やこれよりも右寄りの位置などとすることもできる。
図１３（ａ）は、表示中心点Ｐａが表示面１１ａの中心位置に位置する場合の集中表示の例を示し、図１３（ｂ）は、表示中心点Ｐａが表示面１１ａの中心位置よりも右寄りに位置する場合の集中表示の例を示している。
【０１６９】
図１３（ａ）と図１３（ｂ）のそれぞれの集中表示の方法でも、図１２（ｂ）の集中表示の場合と同様に、動作状態になる第１センサー２１ｘおよび第２センサー２２ｙの総数を図１２（ａ）に示す分散表示よりも減少させることができる。
表示中心点Ｐａを図１２（ｂ）、図１３（ａ）、図１３（ｂ）のいずれにするかは、後述のようにユーザーの最初のタッチ操作によるタッチ位置に基づき決めることができる。
【０１７０】
例えば、図１３（ａ）に示すように表示面１１ａをＸ方向に左側のα、中央のβ、右側のγの各領域に略３等分して、中央領域β内のいずれかの位置がタッチ操作されると、図１３（ａ）に示すように表示中心点Ｐａを中央領域βの中央位置に決め、図１３（ａ）に示す集中表示を選択する。
また、右側領域γ内のいずれかの位置がタッチ操作されると、図１３（ｂ）に示すように表示中心点Ｐａを表示面１１ａの右端からＸ方向に表示面１１ａのＸ方向長さの１／５の長さの位置、かつ、表示面１１ａの上端からＹ方向に表示面１１ａのＹ方向長さの半分の長さの位置に決め、図１３（ｂ）に示す集中表示を選択する。
【０１７１】
さらに、左側領域α内のいずれかの位置がタッチ操作されると、図１２（ｂ）に示す集中表示を選択することができる。
なお、上記では、複数個のボタン画像ＢｉがＹ方向に沿って並ぶ列を２列で並列表示する場合の例を説明したが、これに限られず、例えばＸ方向に沿って並ぶ列を２列で並列表示する構成をとることできる。どの方向に沿う列にするかは予め決められる。
【０１７２】
図６に戻り、ステップＳ３５において、表示が指示されたタッチ操作画面が集中表示不可と判断すると（ステップＳ３５において「Ｎｏ」）、図５のステップＳ２３に進み、ステップＳ２３以降の処理を実行する。
一方、表示が指示されたタッチ操作画面が集中表示可能と判断すると（ステップＳ３５において「Ｙｅｓ」）、ステップＳ３６に進み、集中表示処理を実行する。
【０１７３】
図１４は、集中表示処理のサブルーチンを示すフローチャートである。
同図に示すように、まず、表示が指示されたタッチ操作画面（集中表示処理が実行されていないタッチ操作画面）の表示を表示制御部１３に指示する（ステップＳ６１）。これにより、集中表示が可能なタッチ操作画面が表示面１１ａに表示される。
次いで、第１センサー２１ｘおよび第２センサー２２ｙの全てを動作状態とすることを発光制御部２５および受光制御部２６に指示するとともに、タッチ位置の検出開始をタッチ位置検出機構２０に指示する（ステップＳ６２）。本実施形態では、タッチ操作画面が表示された後の最初のタッチ位置に基づいて表示中心点Ｐａを決めるようにしている。このために、表示面１１ａにおける最初のタッチ位置を検出するために、第１センサー２１ｘおよび第２センサー２２ｙの全てを動作状態としている。
【０１７４】
そして、ユーザーの表示面１１ａへのタッチ操作によるタッチ位置が検出されるまで待機状態になる（ステップＳ６３）。
その後、表示面１１ａのタッチ位置が検出されると（ステップＳ６３において「Ｙｅｓ」）、タッチ位置を検出した第１センサー２１ｘおよび第２センサー２２ｙに基づいて表示中心点Ｐａの座標位置を特定する（ステップＳ６４）。ここでは、最初のタッチ位置が上記の図１３（ａ）に示すα、β、γのいずれの領域内であるかを判断し、判断した領域がαであれば、図１２（ｂ）に示す表示中心点Ｐａの座標位置が特定され、βであれば、図１３（ａ）に示す表示中心点Ｐａの座標位置が特定され、γであれば、図１３（ｂ）に示す表示中心点Ｐａの座標位置が特定される。
【０１７５】
次いで、表示中心点Ｐａの周囲にボタン画像Ｂｉを集中して表示することを表示制御部１３に指示する（ステップＳ６５）。これにより、表示制御部１３は、表示面１１ａにおける表示中心点Ｐａの周囲に全てのボタン画像Ｂｉを集中的に表示する表示位置変更を行う。この場合には、表示中心点Ｐａに接近する方向への移動可能なボタン画像Ｂｉが、表示中心点Ｐａに接近する方向へ移動させる。これにより、表示中心点Ｐａの周囲に、全てのボタン画像Ｂｉが集中表示された状態になる。
【０１７６】
なお、全てのボタン画像Ｂｉを集中表示する際には、相互に隣接するボタン画像Ｂｉは、相互に接した状態になっていてもよいが、比較的小さな間隙が形成された状態であってもよい。
その後、全てのボタン画像Ｂｉ以外の背景画像領域のタッチ操作を検出対象とする第１センサー２１ｘおよび第２センサー２２ｙの全てを非動作状態に、全てのボタン画像Ｂｉのボタン画像領域のタッチ操作を検出対象とする第１センサー２１ｘおよび第２センサー２２ｙの全てを動作状態にする指示を行う（ステップＳ６６）。これにより、集中表示処理を終了して、図５のステップＳ２４に進み、前述したように、いずれかのボタン画像Ｂｉのタッチ位置が検出されるまで待機状態になる。
【０１７７】
以上の集中表示処理においても、タッチ位置検出機構２０における消費電力を、第１センサー２１ｘおよび第２センサー２２ｙの全てを動作状態にする場合よりも低減することができる。
上記のような集中表示処理を行うと、元々、分散表示されていた各ボタン画像の表示位置が変わることになるため、ユーザーにとっては操作性が低下したと感じる場合も生じ得るが、省電力優先モードが選択されていることから、この操作性の低下よりも、タッチ位置検出機構２０における消費電力の低減が優先されるようになっている。
【０１７８】
なお、上記の集中表示処理の説明においては、表示中心点Ｐａを、表示面１１ａおける最初のユーザーのタッチ位置に基づいて特定するとしたが、これに限られない。例えば、上記の構成に替えて、表示面１１ａにおける任意の位置を表示中心点Ｐａとして予め設定しておいてもよい。この場合には、図１４のステップＳ６２〜Ｓ６４の処理を実行することなく、ステップＳ６５以降の処理が実行される。
【０１７９】
＜スライド操作省電力処理＞
次に、図５のステップＳ１３において実行されるスライド操作省電力処理について説明する。
図１５および図１６は、スライド操作省電力処理のサブルーチンを示すフローチャートである。スライド操作省電力処理では、スライド操作画面として、表示が指示されたシングルタッチ画面またはダブルタッチ画面を表示面１１ａに表示することを表示制御部１３に指示する（図１５のステップＳ７０）。
【０１８０】
シングルタッチ画面は、例えば、フリック操作によって表示位置を変更できる画像を含んだ状態で表示面１１ａに表示される。また、ダブルタッチ画面は、例えば、ピンチアウト操作またはピンチイン操作によって拡大または縮小される画像を含んだ状態で、表示面１１ａに表示される。表示面１１ａにシングルタッチ画面およびダブルタッチ画面のいずれが表示されても、図１５および図１６のフローチャートに基づく処理が実行される。
【０１８１】
スライド操作画面が表示面１１ａに表示されると、第１センサー２１ｘおよび第２センサー２２ｙの全てを動作状態にすることを、タッチ位置検出機構２０に指示して、ユーザーのタッチ操作によるタッチ位置の検出開始を指示する（ステップＳ７１）。
そして、タッチ位置が検出されるまで、待機状態になる（ステップＳ７２）。
タッチ位置の検出は、上記のように、複数個の第１センサー２１ｘおよび第２センサー２２ｙのうち、受光素子２１ｂおよび２２ｂの出力電流が閾値電流よりも低下した状態になった第１センサー２１ｘおよび第２センサー２２ｙを特定し、特定した第１センサー２１ｘおよび第２センサー２２ｙのＸ、Ｙ座標位置を検出することにより行われる。
【０１８２】
タッチ操作によるタッチ位置を検出すると（ステップＳ７２において「Ｙｅｓ」）、タッチ位置を検出した第１センサー２１ｘおよび第２センサー２２ｙの全てをそれぞれ中核センサーＳｇ１に設定する（ステップＳ７３）。
そして、全ての中核センサーＳｇ１のＸ座標位置およびＹ座標位置から、タッチ位置（領域）の中央のＸ座標およびＹ座標を求めて、求められたＸ座標およびＹ座標を現在のタッチ位置として記憶する（ステップＳ７４）。
【０１８３】
次いで、中核センサーＳｇ１によって検出されたタッチ位置の周囲の領域のタッチ操作を検出対象とする第１センサー２１ｘおよび第２センサー２２ｙを、それぞれ周辺センサーＳｇ２に設定する（ステップＳ７５）。これにより、中核センサーＳｇ１に対してＸ方向およびＹ方向のそれぞれの両側に隣接する第１センサー２１ｘおよび第２センサー２２ｙのそれぞれが周辺センサーＳｇ２に設定される。
【０１８４】
中核センサーＳｇ１および周辺センサーＳｇ２が設定されると、中核センサーＳｇ１および周辺センサーＳｇ２以外の全ての第１センサー２１ｘおよび第２センサー２２ｙを非動作状態にすることをタッチ位置検出機構２０に指示する（ステップＳ７６）。
これにより、タッチ位置検出機構２０は、表示面１１ａにおける現在のタッチ位置部分と当該タッチ位置部分の周辺部分とを除いた残りの部分に相当するＸ成分領域とＹ成分領域の検出をオフ状態とする。従って、タッチ位置検出機構２０は、表示面１１ａにおける現在のタッチ位置部分と当該タッチ位置部分の周辺部分との両方に相当するＸ成分領域とＹ成分領域の検出だけを実行する。この状態を第１状態という。
【０１８５】
以上のステップＳ７１〜Ｓ７６の処理を、シングルタッチ画面が表示面１１ａに表示されている場合について説明する。
図１７は、表示パネル１０の表示面１１ａに表示されたシングルタッチ画面上でのユーザーによるタッチ位置がスライド操作される前の状態とスライド操作された後の状態を説明するための模式図である。
【０１８６】
スライド操作前の状態では、シングルタッチ画面が表示された表示面１１ａに対して、ユーザーが指等によって最初にタッチ操作した位置をタッチ位置Ｐｔとして、タッチ位置Ｐｔの領域が、Ｘ方向に連続する３個の第１センサー２１ｘと、Ｙ方向に連続する３個の第２センサー２２ｙとによって検出されている。
従って、ステップＳ７３では、これら３個の第１センサー２１ｘおよび３個の第２センサー２２ｙのそれぞれが中核センサーＳｇ１に設定される。また、ステップＳ７４では、３個の第１センサー２１ｘおよび３個の第２センサー２２ｙのそれぞれの中央に位置する第１センサー２１ｘおよび第２センサー２２ｙのＸ座標およびＹ座標が、現在のタッチ位置のＸ座標およびＹ座標として記憶される。
【０１８７】
次のステップＳ７５では、中核センサーＳｇ１を構成する３個の第１センサー２１ｘのＸ方向の両側に隣接する各１個の第１センサー２１ｘと、３個の第２センサー２２ｙのＹ方向の両側に隣接する各１個の第２センサー２２ｙとが、それぞれ周辺センサーＳｇ２に設定される。
次のステップＳ７６では、中核センサーＳｇ１および周辺センサーＳｇ２に設定された５個の第１センサー２１ｘおよび５個の第２センサー２２ｙ以外の全て第１センサー２１ｘおよび第２センサー２２ｙの非動作状態が、タッチ位置検出機構２０に指示される。
【０１８８】
以上のように、スライド操作前の状態では、シングルタッチ画面の場合、ステップＳ７１〜Ｓ７６の処理によって、白抜きの丸印で示す５個の第１センサー２１ｘおよび５個の第２センサー２２ｙが動作状態になり、これら以外の網点の丸印で示す第１センサー２１ｘおよび第２センサー２２ｙが非動作状態になる。
表示面１１ａにダブルタッチ画面が表示されている場合におけるステップＳ７１〜Ｓ７６の処理も、シングルタッチ画面が表示されている場合と同様である。但し、ピンチイン操作およびピンチアウト操作を実行する場合には、通常、ユーザーは、タッチ操作を２本の指によって行う。この場合、ピンチアウト操作を実行する際に、タッチ操作される２本の指同士が相互に接していると、表示面１１ａにおけるタッチ位置Ｐｔは、２つの領域として検出されずに１つの領域として検出されることがある。
【０１８９】
図１８（ａ）は、表示パネル１０の表示面１１ａに表示されたダブルタッチ画面をユーザーがピンチアウト操作を行うために、最初に表示面１１ａをタッチ操作した状態を説明するための模式図である。この場合には、タッチ位置Ｐｔが１つの領域として検出されている。このタッチ位置Ｐｔの面積は、シングルタッチ画面を１本の指でタッチ操作した場合のタッチ位置Ｐｔの面積よりも若干大きくなっている。図１８（ａ）においては、タッチ位置Ｐｔが、６個の第１センサー２１ｘおよび６個の第２センサー２２ｙによってそれぞれ検出されている。
【０１９０】
この場合も、図１８（ａ）に示すように、タッチ位置Ｐｔを検出した６個の第１センサー２１ｘおよび６個の第２センサー２２ｙのそれぞれが中核センサーＳｇ１に設定される。また、中核センサーＳｇ１に設定された第１センサー２１ｘのＸ方向の両側と、第２センサー２２ｙのＹ方向の両側とにそれぞれ隣接する各１個の第１センサー２１ｘおよび第２センサー２２ｙが周辺センサーＳｇ２に設定される。
【０１９１】
なお、ダブルタッチ画面においてピンチイン操作を実行する場合には、タッチ操作される２本の指同士が相互に離間した状態になっているために、２か所のタッチ位置が検出される。この場合には、２か所のタッチ位置のそれぞれにおいて、図１７で説明したスライド操作前の状態と同様に、中核センサーＳｇ１および周辺センサーＳｇ２のそれぞれが設定される。
【０１９２】
そして、ステップＳ７６において、中核センサーＳｇ１および周辺センサーＳｇ２以外の第１センサー２１ｘおよび第２センサー２２ｙの非動作状態がタッチ位置検出機構２０に指示される。
これにより、ダブルタッチ画面の場合も、タッチ位置検出機構２０は、表示面１１ａにおける現在のタッチ位置部分と当該タッチ位置部分の周辺部分とを除いた残りの部分に相当するＸ成分領域とＹ成分領域の検出をオフ状態とする。従って、タッチ位置検出機構２０は、表示面１１ａにおける現在のタッチ位置部分と当該タッチ位置部分の周辺部分との両方に相当するＸ成分領域とＹ成分領域の検出だけを実行する。
【０１９３】
次に、図１６のステップＳ７７以降の処理について説明する。ステップＳ７７では、動作状態になったいずれかの周辺センサーＳｇ２がタッチ操作を検出して反応するまで待機状態になる。
シングルタッチ画面およびダブルタッチ画面においては、通常、ユーザーは、表示面１１ａにタッチした指を、表示面１１ａにタッチした状態を維持してスライドさせる。これにより、周辺センサーＳｇ２のいずれかの受光素子（第１受光素子２１ｂまたは第２受光素子２２ｂ）の出力電流が閾値電流よりも低下した状態に反応する。このことから、ステップＳ７７では、周辺センサーＳｇ２のいずれかが反応すると（ステップＳ７７において「Ｙｅｓ」）、タッチ位置がスライドされたものと判定し、ステップＳ７８に進む。
【０１９４】
ステップＳ７８では、新たにタッチ位置を検出した第１センサー２１ｘの全ておよび第２センサー２２ｙの全てを、新たな中核センサーＳｇ１に設定（更新）する。また、新たに中核センサーＳｇ１に設定された第１センサー２１ｘおよび第２センサー２２ｙの両側にそれぞれ隣接する各１個の第１センサー２１ｘおよび第２センサー２２ｙのそれぞれを、新たな周辺センサーＳｇ２に設定（更新）する（ステップＳ７９）。
【０１９５】
中核センサーＳｇ１および周辺センサーＳｇ２が新たに設定されると、新たに設定された中核センサーＳｇ１および周辺センサーＳｇ２以外の全ての第１センサー２１ｘおよび第２センサー２２ｙが非動作状態（オフ状態）になり、かつ新たに設定された中核センサーＳｇ１および周辺センサーＳｇ２が動作状態になること（第１状態から第２状態への遷移）をタッチ位置検出機構２０に指示する（ステップＳ８０）。
【０１９６】
図１７に示すシングルタッチ画面の例では、スライド操作前の状態のタッチ位置ＰｔがＸ方向に沿って１個の第１センサー２１ｘの幅分、右側にスライドした位置（以下、「スライド位置Ｐｓ」という。）に移動した状態がスライド操作後の状態になっている。
このスライド操作後の状態（第２状態）とは、スライド操作前の状態（第１状態）において中核センサーＳｇ１に設定されていた３個の第１センサー２１ｘに対してＸ方向の右側に隣接する周辺センサーＳｇ２（第２センサー２２ｙ）が反応した瞬間（第２受光素子２２ｂの出力電流が閾値電流よりも低下した瞬間）の状態のことである。
【０１９７】
図１７の例に示すスライド操作後の状態では、スライド操作前のタッチ位置Ｐｔに対して右側にスライドしたスライド位置Ｐｓを検出した３個の第１センサー２１ｘおよび３個の第２センサー２２ｙのそれぞれが新たに中核センサーＳｇ１に設定されることになる。
そして、新たに設定された中核センサーＳｇ１を構成する第１センサー２１ｘおよび第２センサー２２ｙに対してＸ方向およびＹ方向のそれぞれの両側に位置する各１個の第１センサー２１ｘおよび第２センサー２２ｙが、それぞれ新たな周辺センサーＳｇ２に設定される。スライド前に既に周辺センサーＳｇ２に設定されていた第１センサー２１ｘおよび第２センサー２２ｙがある場合でも、スライド後に周辺センサーＳｇ２に該当するものについては新たに周辺センサーＳｇ２に設定し直される。
【０１９８】
中核センサーＳｇ１および周辺センサーＳｇ２が新たに設定されると、次のステップＳ８０では、中核センサーＳｇ１および周辺センサーＳｇ２以外のセンサーの非動作状態がタッチ位置検出機構２０に指示される。
一方、ダブルタッチ画面では、ピンチイン操作またはピンチアウト操作が実行されると、通常、タッチ操作された２本の指が、相反する方向にスライドされる。このために、最初の１か所または２か所のタッチ位置Ｐｔに対して、相反する方向にそれぞれ位置する周辺センサーＳｇ２が反応する。この場合には、反応したそれぞれの周辺センサーＳｇ２によって検出された２つのタッチ位置において、新たな中核センサーＳｇ１および周辺センサーＳｇ２がそれぞれ設定される。
【０１９９】
図１８（ｂ）は、ダブルタッチ画面において、最初の１か所のタッチ位置Ｐｔが検出された図１８（ａ）に示す状態で、ピンチアウト操作を実行した場合を説明するための模式図である。ユーザーがピンチアウト操作を実行したときに、１つのタッチ位置Ｐｔが、図１８（ｂ）に示すように２つに分離されて、それぞれが相互に離間するように相反する方向に向かって表示面１１ａ上をスライドした場合の例を示している。
【０２００】
この例の場合、最初のタッチ位置Ｐｔに対して相反する２つ方向のそれぞれに位置する周辺センサーＳｇ２によってタッチ操作が検出され、スライド後の２か所のスライド位置Ｐｓのそれぞれを検出対象とする全ての第１センサー２１ｘおよび第２センサー２２ｙ（図１８（ｂ）では、それぞれ３個ずつ）が新たに中核センサーＳｇ１に設定される。
また、２か所のスライド位置Ｐｓのそれぞれにおいても、新たに設定された中核センサーＳｇ１のそれぞれに対して周辺センサーＳｇ２が新たに設定される。この場合も、中核センサーＳｇ１を構成する第１センサー２１ｘおよび第２センサー２２ｙに対して、Ｘ方向およびＹ方向のそれぞれの両側に隣接する各１個の第１センサー２１ｘおよび第２センサー２２ｙが、それぞれ新たな周辺センサーＳｇ２に設定される。
【０２０１】
なお、ダブルタッチ画面において、ピンチイン操作を実行する場合には、最初に、表示面１１ａにおける２か所の領域（タッチ位置）がタッチ操作される。このような状態で、ピンチイン操作を実行すると、２か所のタッチ位置が相互に接近するように、それぞれ相反する方向に向かって表示面１１ａ上をスライドする。この場合も、ピンチアウト操作の場合と同様に、２か所のスライド位置Ｐｓのそれぞれにおいて、中核センサーＳｇ１および周辺センサーＳｇ２のそれぞれが新たに設定される。
【０２０２】
図１６に戻って、ステップＳ８１では、現在のタッチ位置における中央のＸ座標およびＹ座標をそれぞれ取得する。この取得は、現在、中核センサーＳｇ１に設定されている全ての第１センサー２１ｘおよび第２センサー２２ｙの中央位置のＸ座標およびＹ座標のそれぞれを検出することにより行われる。
そして、新たな設定の前後にそれぞれ取得されたタッチ位置、具体的にはステップＳ７４で取得されたタッチ位置とステップＳ８１で取得されたタッチ位置の各座標に基づき、所定情報の入力を受け付ける（ステップＳ８２）。
【０２０３】
例えば、シングルタッチ画面では、ステップＳ７４による設定前のタッチ位置からステップＳ８１による設定後のタッチ位置に向けて画像を移動することが指示されたものとして、その指示を受け付ける。
また、ダブルタッチ画面では、２本の指等による設定前のタッチ位置と、設定後の２つのタッチ位置との差分の大きさに基づいて、設定前のタッチ位置に表示された画像を拡大または縮小することが指示されたものとして、その指示を受け付ける。この場合、ピンチアウト操作では、設定前のタッチ位置に表示された画像を、スライド方向に沿って、スライド距離に対応した拡大率で拡大することが指示されたものとする。また、ピンチイン操作では、設定前のタッチ位置に表示された画像を、スライド方向に沿って、スライド距離に対応した縮小率で縮小することが指示されたものとする。
【０２０４】
続いて、いずれかの周辺センサーＳｇ２がタッチ操作の検出により反応したか否かを判断する（ステップＳ８３）。
ユーザーによるタッチ位置のスライドが継続されて、いずれかの周辺センサーＳｇ２が反応すると（ステップＳ８３において「Ｙｅｓ」）、ステップＳ７８に戻って、ステップＳ７８以降の処理が実行される。
【０２０５】
タッチ位置が連続してスライドする場合には、周辺センサーＳｇ２が反応する度に、ステップＳ７８〜Ｓ８３の処理が繰り返される。これにより、新たな中核センサーＳｇ１と新たな周辺センサーＳｇ２とが順次、設定（更新）されていくと共に、表示面１１ａ上における画像もユーザーによるタッチ位置のスライド動作に追随するようにして移動、拡大等されることになる。
【０２０６】
なお、ステップＳ７８〜Ｓ８３の処理が２回以上繰り返される場合には、その回ごとに、ステップＳ８２における所定情報の入力受付が、前回のステップＳ８１で取得されたタッチ位置の座標を設定前のタッチ位置とし、今回のステップＳ８１で取得したタッチ位置の座標を設定後の座標として行われる。
そして、タッチ位置Ｐｔがスライドしなくなる状態、すなわちユーザーの指等によるスライドが停止した状態になり、周辺センサーＳｇ２が反応しなくなったことを判断すると（ステップＳ８３において「Ｎｏ」）、ステップＳ８４に進む。
【０２０７】
ステップＳ８４では、ユーザーによるタッチ操作が終了したかを判断する。
タッチ操作の終了は、ユーザーの指等が表示面１１ａから離間したこと、具体的には動作状態になった全ての第１センサー２１ｘおよび第２センサー２２ｙがタッチ位置を検出しない状態（全ての第１受光素子２１ｂおよび第２受光素子２２ｂの出力電流が閾値電流以上）に変化したことを検出することにより判定される。
【０２０８】
ユーザーによるタッチ操作の終了が判断されない場合には（ステップＳ８４において「Ｎｏ」）、ステップＳ８３に戻る。
一方、タッチ操作の終了が判断された場合には（ステップＳ８４において「Ｙｅｓ」）、表示面１１ａに表示されたスライド操作画面を、異なる入力操作画面（スライド操作画面に限らない）の表示に変更する必要があるかを判断する（ステップＳ８５）。例えば、ユーザーが表示面１１ａに表示されたスライド操作画面における所定位置のタッチ操作に基づいて、他の入力操作画面への表示変更が必要であるかを判定する。
【０２０９】
他の入力操作画面への表示変更が必要と判断されるまで待機状態になり、必要であることを判断すると（ステップＳ８５において「Ｙｅｓ」）、図５に示すステップＳ１１に戻り、ステップＳ１１以降の処理を実行する。
以上のように、表示面１１ａにスライド操作画面が表示されている場合には、最初のタッチ操作の後は、タッチ位置およびその周辺を検出対象とする第１センサー２１ｘおよび第２センサー２２ｙだけが選択的に動作状態とされる。これにより、第１センサー２１ｘおよび第２センサー２２ｙの全てを動作状態とする場合よりも、タッチ位置検出機構２０の消費電力を低減することができる。
【０２１０】
さらに、その後にタッチ位置のスライドが検出されると、スライド位置およびその周辺を検出対象とする第１センサー２１ｘおよび第２センサー２２ｙだけが、新たに動作状態とされる。
このように、動作状態になった第１センサー２１ｘおよび第２センサー２２ｙに基づいて、タッチ位置のスライド、スライド方向、スライド距離のそれぞれを取得することができる。従って、タッチ位置検出機構２０の消費電力が低減された状態で、スライド操作画面における各種情報の入力を受け付けることができる。
【０２１１】
なお、上記では、タッチ位置部分の周辺領域としての周辺部分に相当するＸ成分領域とＹ成分領域の検出を行う周辺センサーＳｇ２を、中核センサーＳｇ１に隣接するものだけとする例を説明したが、これに限られない。例えば、中核センサーＳｇ１に隣接するセンサーと、さらにこれに隣接するセンサーを周辺センサーＳｇ２に設定することもできる。中核センサーＳｇ１を起点に、これに離れる方向に向かって何個目のセンサーまでを周辺センサーＳｇ２に設定するかを予め決めておくことができる。
【０２１２】
［変形例］
上記の省電力制御は、図５〜図６のフローチャートで示すように、タッチ位置検出機構２０が省電力状態になる複数の処理の実行が可能になっている。しかし、このような構成に限らず、タッチ位置検出機構２０が省電力状態になるそれぞれの処理だけを単独で実行する構成、あるいは、２以上の処理を選択して実行する構成とすることもできる。
【０２１３】
＜変形例１＞
例えば、タッチ操作省電力処理として、図５のフローチャートにおけるステップＳ１７〜Ｓ２０、Ｓ２２を実行せずに、Ｓ１５、Ｓ１６で「Ｙｅｓ」の次にＳ２１（背景画像領域に対する非動作設定）を実行して、その後、Ｓ２３に進む構成としても良い。
この構成をとれば、ステップＳ１８が実行されないので、複数個のボタン画像が１列に表示されていても、第１センサー２１ｘまたは第２センサー２２ｙの全てが非動作状態になることはなくなるが、全ての第１センサー２１ｘおよび第２センサー２２ｙを動作状態とする場合よりもタッチ位置検出機構２０の消費電力を低減できる。この場合には、ステップＳ２５において、タッチ操作の回数をカウントする必要がない。
【０２１４】
また、ステップＳ１５の次にＳ１７を実行し、Ｓ１７で「Ｙｅｓ」であれば、Ｓ２１、Ｓ２２（操作頻度基準処理）の順に実行する構成をとることもできる。
＜変形例２＞
上記では、複数個のボタン画像が１列に表示されている場合に操作頻度基準処理（ステップ２２）を実行する構成としたが、これに限られず、複数個のボタン画像が１列に表示されていない場合でも、操作頻度基準処理を実行する構成とすることもできる。
【０２１５】
例えば、図７に示すような入力操作画面においてボタン画像Ｂ６が低頻度であれば、ボタン画像Ｂ６を並び替えることなく（ステップＳ４４を実行せず）、そのボタン画像領域のタッチ操作を検出するための第１センサー２１ｘと第２センサー２２ｙのそれぞれに対して、動作時間の短縮（ステップＳ４５）と供給電力の低減（ステップＳ４７）の少なくとも一方を実行することができる。
【０２１６】
この構成をとる場合、例えばステップＳ１５、Ｓ２１、Ｓ２２の順に実行し、ステップＳ２２では、ステップＳ４３とＳ４４を除く他の処理を実行するとすれば良い。
また、図７において、例えばボタン画像Ｂ８が低頻度であれば、そのボタン画像領域のタッチ操作を検出するための３つの第２センサー２２ｙについてだけ、動作時間を短くしたり供給電力を低減したりすることができる。３つの第１センサー２１ｘについては、ボタンＢ９の検出にも用いられるので、ボタンＢ９が低頻度でなければ、標準時間や標準電力のままとされる。
【０２１７】
さらに、省電力優先モード、操作頻度基準処理、単列領域表示処理、集中表示処理のうち、いずれか１つだけを実行する構成または２以上を組み合わせて実行する構成をとるとしても良い。単列領域表示処理または集中表示処理だけを実行する場合には、図５のステップＳ１５の次に図６のステップＳ３２以降を実行する構成をとることができる。
また、表示面１１ａに表示されるボタン画像は、複数個に限られず、例えば１個の場合もあり得、従って、１以上のボタン画像が表示される場合に適用することができる。
【０２１８】
＜変形例３＞
上記実施の形態では、隣り合う２つのボタン画像の間を背景画像として、この背景画像に対応する第１センサー２１ｘ（例えば、図３の発光素子２１ａｊと受光素子２１ｂｊ）を非動作状態としたが、これに限られず、動作状態に設定されるとしても良い。
例えば、複数個のボタン画像をまとめてこれらを取り囲む一つの領域をボタン画像領域と捉えれば、隣り合う２つのボタン画像の間の領域もボタン画像領域になるので、隣り合う２つのボタン画像の間の領域を検出対象とする第１センサー２１ｘまたは第２センサー２２ｙ、例えば図３の発光素子２１ａｊと受光素子２１ｂｊは、動作状態に設定される。
【０２１９】
このようにしても、第１センサー２１ｘと第２センサー２２ｙとの全てを動作状態に設定する構成よりもタッチ位置検出機構２０の消費電力を低減できる。
つまり、表示面１１ａ上におけるユーザーのタッチ操作を受け付けるための画像（第１領域）以外の背景画像領域（第２領域）の全体のうち、少なくとも一部の領域を検出対象とする第１センサー２１ｘと第２センサー２２ｙを非動作状態に設定、すなわちその一部の領域に相当するＸ成分領域とＹ成分領域のタッチ位置の検出をオフ状態に設定し、かつ、当該タッチ操作を受け付けるための画像が表示される領域に相当するＸ成分領域とＹ成分領域のタッチ位置の検出の実行を行う構成をとれば、全ての第１センサー２１ｘと全ての第２センサー２２ｙを動作状態に設定する構成よりもタッチ位置検出機構２０の消費電力の低減に資することができる。
【０２２０】
なお、背景画像領域のどの部分を検出対象とする第１センサー２１ｘと第２センサー２２ｙを非動作状態に設定するかは、表示すべき全てのタッチ操作画面のそれぞれごとに予め決めておくことができる。
＜変形例４＞
上記の実施形態では、いわゆる光学方式のタッチ位置検出機構２０において、それぞれの発光素子２１ａが個別に発光側スイッチ２１ｃを介して発光側電力供給線２１ｅと接続され、動作状態に設定された各発光素子２１ａに接続される発光側スイッチ２１ｃを順番に１つずつだけがオンになるように切り替えていくことで、複数の発光素子２１ａのうち、発光素子列の並び順に１つだけが発光していく構成としたが、これに限られない。
【０２２１】
例えば、発光側スイッチ２１ｃを設けずに、各発光素子２１ａを個別に発光と消灯の切り替えを制御する構成とすることもできる。この場合、各発光素子２１ａに対する供給電力を可変できるようにすれば標準電力と低電力を切り替えることもできる。
また、各発光素子２１ａを１つずつ順番に発光させることに限られず、例えば動作状態に設定された全ての発光素子２１ａを同時発光する構成とすることもできる。発光素子２２ａについても同様である。
【０２２２】
動作状態に設定された発光素子にタッチ位置を検出するための電力が供給され、非動作状態（オフ状態）に設定された発光素子に電力が供給されないようにすることができる構成に適用できる。
また、光学方式以外の、例えば投影型静電方式のタッチ位置検出機構を用いる構成とすることもできる。
【０２２３】
投影型静電方式の場合、異なるＸ座標位置においてＹ方向に沿った透明電極パターンによって第１センサーのそれぞれが構成される。また、異なるＹ座標位置においてＸ方向に沿って配置された透明電極パターンによって第２センサーのそれぞれが構成される。第１センサーと第２センサーの交差部のそれぞれでは相互に絶縁状態になっている。
上記の方式以外でも、表示面１１ａ上におけるＸ−Ｙ座標の異なる複数の領域のそれぞれごとに電力供給によるタッチ位置の検出をオン状態（可能）とオフ状態（不可）に切り替え可能な方式のタッチパネル一般に適用可能である。
【０２２４】
上記の実施形態では、画像形成装置において使用されるタッチパネル入力装置について説明したが、これに限られない。例えば、パーソナルコンピューター、携帯情報端末装置、車載用情報端末装置等の各種電子機器において使用されるタッチパネル入力装置にも適用することができる。
また、上記実施の形態及び上記変形例の内容を可能な限りそれぞれ組み合わせるとしても良い。
【産業上の利用可能性】
【０２２５】
本発明のタッチパネル入力装置は、消費電力を低減する技術として有用である。
【符号の説明】
【０２２６】
Ａ          画像形成本体部
Ｂ          タッチパネル入力装置
１０        表示パネル
１１        表示パネル本体
１１ａ      表示面
１３        表示制御部
２０        タッチ位置検出機構
２１Ｍ      第１発光素子列
２１Ｎ      第１受光素子列
２１ａ      第１発光素子
２１ｂ      第１受光素子
２１ｘ      第１センサー
２２Ｍ      第２発光素子列
２２Ｎ      第２受光素子列
２２ａ      第２発光素子
２２ｂ      第２受光素子
２２ｙ      第２センサー
２５        発光制御部
２６        受光制御部
３０        主制御部
Ｂ１〜Ｂ９、Ｂ１１〜Ｂ１７、Ｂｉ      ボタン画像
【図１】
0005943021.tif 000002
【図２】
0005943021.tif 000003
【図３】
0005943021.tif 000004
【図４】
0005943021.tif 000005
【図５】
0005943021.tif 000006
【図６】
0005943021.tif 000007
【図７】
0005943021.tif 000008
【図８】
0005943021.tif 000009
【図９】
0005943021.tif 000010
【図１０】
0005943021.tif 000011
【図１１】
0005943021.tif 000012
【図１２】
0005943021.tif 000013
【図１３】
0005943021.tif 000014
【図１４】
0005943021.tif 000015
【図１５】
0005943021.tif 000016
【図１６】
0005943021.tif 000017
【図１７】
0005943021.tif 000018
【図１８】
0005943021.tif 000019